(57)【要約】【課題】映像メディア・ストリーミング・デバイスを与える。【解決手段】ハウジングで囲まれたプリント回路基板は、メディア・コンテンツ・ソースから無線でメディア・コンテンツを受信する電子回路を含む。装置は、メディア・ストリーミング・デバイスのハウジング内でプリント回路基板に固着される第１端部を有することによって、通常の条件下ではメディア・ストリーミング・デバイスから着脱不能な出力コード・セグメントを備える。出力コード・セグメントは表示デバイスのメディア・ポートに連結される第２端部を有する。電子回路はさらに、受信したメディア・コンテンツを、出力コード・セグメントを通じて表示デバイスへ送信する。装置は、メディア・ストリーミング・デバイスに連結される第１端部と、電源に連結される第２端部とを有した電力コード・セグメントを備える。【選択図】図１
2019075829.tif 000002
【特許請求の範囲】
【請求項１】
プリント回路基板を囲うハウジングを有するメディア・ストリーミング・デバイスであって、前記プリント回路基板は電子回路を含んでなり、前記電子回路はメディア・コンテンツ・ソースから無線でメディア・コンテンツを受信するよう構成されている、前記メディア・ストリーミング・デバイスと、
前記メディア・ストリーミング・デバイスの前記ハウジング内で前記プリント回路基板に固着される第１端部を有することによって通常の条件下において前記メディア・ストリーミング・デバイスから離脱できない出力コード・セグメントであって、前記出力コード・セグメントは表示デバイスのメディア・ポートに連結されるよう構成されている第２端部を有し、前記電子回路はさらに、受信された前記メディア・コンテンツを、前記出力コード・セグメントを通じて前記表示デバイスへ送信するよう構成されている、前記出力コード・セグメントと、
前記メディア・ストリーミング・デバイスに連結されるよう構成されている第１端部及び電源に連結されるよう構成されている第２端部を有する電力コード・セグメントと、を備える、装置。
【請求項２】
前記出力コード・セグメントは、前記メディア・ストリーミング・デバイスの重量に対して閾値を超える剛性を規定する１以上の材料を含んでなることによって、前記出力コード・セグメントの前記第２端部が前記メディア・ポートに連結されると、前記メディア・ストリーミング・デバイスは前記出力コード・セグメントと前記電力コード・セグメントとの間において宙に浮く、請求項１に記載の装置。
【請求項３】
前記出力コード・セグメントの前記第２端部が前記メディア・ポートに連結されると、前記メディア・ストリーミング・デバイスは前記メディア・ポートから垂直方向にぶら下がる一方、前記出力コード・セグメントの前記剛性によって、前記メディア・ポートから水平方向に離隔するように前記メディア・ストリーミング・デバイスを位置決めする、請求項１に記載の装置。
【請求項４】
前記電力コード・セグメントは前記出力コード・セグメントの長さより大きい長さを有し、前記出力コード・セグメントは前記電力コード・セグメントの幅よりも大きい幅を有し、前記出力コード・セグメントは前記電力コード・セグメントの剛性よりも大きい剛性を有する、請求項１に記載の装置。
【請求項５】
前記メディア・ストリーミング・デバイスのハウジングは上部エンクロージャ・アセンブリと下部エンクロージャ・アセンブリとを含み、前記上部エンクロージャ・アセンブリが前記下部エンクロージャ・アセンブリに連結されることによって前記上部エンクロージャ・アセンブリと前記下部エンクロージャ・アセンブリとが前記プリント回路基板を保持する空間を形成し、前記下部エンクロージャ・アセンブリはコネクタ・スロットを画定し、前記出力コード・セグメントは前記コネクタ・スロットを介して前記ハウジング内に延びる、請求項１に記載の装置。
【請求項６】
前記メディア・ストリーミング・デバイスの前記ハウジングは略円柱形であって、前記ハウジングは４５〜５５ミリメートルの範囲内にある直径を有する、請求項１に記載の装置。
【請求項７】
前記出力コード・セグメントの前記第１端部は低電圧差動信号（ＬＶＤＳ）コネクタを画定し、前記出力コード・セグメントの前記第２端部は高精細度マルチメディア・インターフェース（ＨＤＭＩ）コネクタを画定する、請求項１に記載の装置。
【請求項８】
前記出力コード・セグメントの前記第１端部は低電圧差動信号（ＬＶＤＳ）コネクタを含み、前記ＬＶＤＳコネクタは前記ハウジング内で前記プリント回路基板に連結され、前記出力コード・セグメントの前記第１端部はさらにリップを画定し、前記リップは前記ハウジング内に配置され、前記リップは前記ハウジングに係合するよう構成されることで前記ＬＶＤＳコネクタが前記プリント回路基板から取り外されないことを確実にする、請求項１に記載の装置。
【請求項９】
前記電力コード・セグメントは、前記第２端部にＵＳＢコネクタを有し前記第１端部にマイクロＵＳＢコネクタを有するユニバーサル・シリアル・バス（ＵＳＢ）コードを含んでなる、請求項１に記載の装置。
【請求項１０】
前記出力コード・セグメントの前記第２端部は、前記メディア・ストリーミング・デバイスに磁気的に連結されるよう構成されているマグネットを有する、請求項１に記載の装置。
【請求項１１】
前記メディア・ストリーミング・デバイスは、前記メディア・コンテンツ・ソースから前記受信デバイスへ映像コンテンツを提供するよう構成されている、
請求項１に記載の装置。
【請求項１２】
前記メディア・ストリーミング・デバイスの前記ハウジングはマイクロ・ユニバーサル・シリアル・バス（ＵＳＢ）スロットを画定し、前記出力コード・セグメントの前記第１端部は低電圧差動信号（ＬＶＤＳ）コネクタを画定し、前記ＬＶＤＳコネクタは前記プリント回路基板に連結され、前記電力コード・セグメントの前記第１端部は前記マイクロＵＳＢスロットを介して前記メディア・ストリーミング・デバイスに連結されるよう構成されているマイクロＵＳＢコネクタを画定する、請求項１に記載の装置。
【請求項１３】
前記プリント回路基板は前記プリント回路基板の同一の側面に第１集積回路と第２集積回路とを含む複数の集積回路を含み、前記プリント回路基板は前記複数の集積回路をカバーする二層シールドを有し、前記二層シールドは前記第１集積回路と前記第２集積回路とを分離させるシールド壁を有する内側フレームを含み、前記二層シールドは前記内側フレームに連結されるカバー・シールドを含む、請求項１に記載の装置。
【請求項１４】
前記出力コード・セグメントの前記第２端部は高精細度マルチメディア・インターフェース（ＨＤＭＩ）コネクタを画定する、請求項１に記載の装置。
【請求項１５】
プリント回路基板を囲うハウジングを有するメディア・ストリーミング・デバイスであって、前記プリント回路基板は電子回路を含み、前記電子回路はメディア・コンテンツ・ソースから無線でメディア・コンテンツを受信するよう構成され、前記ハウジングはマイクロＵＳＢコネクタを受けるよう構成されているマイクロ・ユニバーサル・シリアル・バス（ＵＳＢ）スロットを画定する、前記メディア・ストリーミング・デバイスと、
第１端部及び第２端部を有する出力コード・セグメントであって、前記出力コード・セグメントの前記第１端部は第１コネクタ及びリップを有し、前記第１コネクタは前記ハウジング内で前記プリント回路基板に連結され、前記リップは前記ハウジング内に配置され、前記リップが前記ハウジングに係合するよう構成されることによって前記第１コネクタは通常の条件下において前記プリント回路基板から取り外されないことを確実ににし、前記出力コード・セグメントの前記第２端部は第２コネクタを有し、前記第２コネクタは表示デバイスのメディア・ポートに連結されるよう構成され、前記電子回路はさらに、受信された前記メディア・コンテンツを、前記出力コード・セグメントを通じて前記表示デバイスへ送信するよう構成されている、前記出力コード・セグメントと、
前記マイクロＵＳＢスロットを介して前記メディア・ストリーミング・デバイスに連結されるよう構成されている前記マイクロＵＳＢコネクタを画定する第１端部を有する電力コード・セグメントであって、電源に連結されるよう構成されている第２端部を有する前記電力コード・セグメントと、を備え、
前記出力コード・セグメントは、前記メディア・ストリーミング・デバイスの重量に対して閾値を超える剛性を規定する１以上の材料を含んでなることによって、前記第２コネクタが前記メディア・ポートに連結されると、前記メディア・ストリーミング・デバイスは前記出力コード・セグメントと前記電力コード・セグメントとの間において宙に浮く、装置。
【請求項１６】
前記出力コード・セグメントは形状記憶材料を含んでなる、請求項１５に記載の装置。
【請求項１７】
前記出力コード・セグメントの前記第１端部は低電圧差動信号（ＬＶＤＳ）コネクタを画定し、前記ＬＶＤＳコネクタは前記メディア・ストリーミング・デバイスの前記ハウジング内に配置される、請求項１５に記載の装置。
【請求項１８】
前記出力コード・セグメントは９０〜１２０ミリメートルの範囲内にある長さを有する、請求項１５に記載の装置。
【請求項１９】
前記メディア・ストリーミング・デバイスは４５〜５５ミリメートルの範囲内にある直径を有する略円柱形である、請求項１５に記載の装置。
【発明の詳細な説明】
【技術分野】
【０００１】
本発明は、映像メディア・ストリーミング・デバイスに関する。
【背景技術】
【０００２】
ストリーミング・メディア・デバイスは、受信デバイス上にコンテンツをストリーミング配信するために用いられる。いくつかの例において、ストリーミング・メディア・デバイスは、受信デバイスのコネクタに差し込まれ、又は、連結され得る。その後、アプリケーションを実行するデバイスが、映像及び／又は音声コンテンツをメディア・ストリーミング・デバイスに提供し得る。次に、そのコンテンツはレンダリングのために受信デバイスに提供される。しかしながら、インストール及び使用するのにシンプルでありつつ優れた性能を提供するメディア・ストリーミング・デバイスを設計することは、困難で挑戦に満ちた課題である。
【図面の簡単な説明】
【０００３】
【図１】実施形態に係る、メディア・コンテンツをストリーミング配信するためのシステムを示す図。
【図２】実施形態に係る、映像コンテンツをストリーミング配信するよう構成されているメディア・ストリーミング・デバイスを示す図。
【図３】実施形態に係る、音声コンテンツをストリーミング配信するよう構成されているメディア・ストリーミング・デバイスを示す図。
【図４】実施形態に係る、コンピュータ・モジュールがデバイスをアプリケーション特有のコンピュータに変換するように、コンピュータ・モジュールが、第１コード・セグメントを介してデバイスと連結され、第２コード・セグメントを介して電源とに連結されるよう構成されているコンピュータ・モジュールを示す図。
【図５】実施形態に係る、電力コード・セグメントに固着され、出力コード・セグメントに固着されるメディア・ストリーミング・デバイスを示す図。
【図６】実施形態に係る、電力コード・セグメントに着脱自在に連結され、出力コード・セグメントに固着されるメディア・ストリーミング・デバイスを示す図。
【図７】実施形態に係る、出力コード・セグメントに連結されているメディア・ストリーミング・デバイスを示す図。
【図８】実施形態に係る、図７のメディア・ストリーミング・デバイスを示す分解組立図。
【図９Ａ】実施形態に係る、メディア・ストリーミング・デバイスの上部エンクロージャ・アセンブリの外面を示す図。
【図９Ｂ】実施形態に係る、メディア・ストリーミング・デバイスの上部エンクロージャ・アセンブリの内面を示す図。
【図１０Ａ】実施形態に係る、メディア・ストリーミング・デバイスの下部エンクロージャ・アセンブリの外面を示す図。
【図１０Ｂ】実施形態に係る、メディア・ストリーミング・デバイスの下部エンクロージャ・アセンブリの内面を示す図。
【図１１Ａ】実施形態に係る、下部エンクロージャ・アセンブリから分解されたプリント回路基板アセンブリを示す図。
【図１１Ｂ】実施形態に係る、下部エンクロージャ・アセンブリに組み付けられたプリント回路基板アセンブリを示す図。
【図１２Ａ】実施形態に係る、二層シールドの一方の層を表すプリント回路基板アセンブリの上側を示す図。
【図１２Ｂ】実施形態に係る、二層シールドの他方の層を表すプリント回路基板アセンブリの上側を示す図。
【図１３Ａ】実施形態に係る、二層シールドの一方の層を表すプリント回路基板アセンブリの下側を示す図。
【図１３Ｂ】実施形態に係る、二層シールドの他方の層を表すプリント回路基板アセンブリの下側を示す図。
【図１４Ａ】実施形態に係る、出力コード・セグメントの第１端部にコネクタを有し、出力コード・セグメントの第２端部にコネクタを有する出力コード・セグメントを示す図。
【図１４Ｂ】実施形態に係る、出力コード・セグメントの第１端部のコネクタを示す分解組立図。
【図１５Ａ】実施形態に係る、折り畳んだ形態におけるメディア・ストリーミング・デバイスを示す斜視図。
【図１５Ｂ】実施形態に係る、開いた形態におけるメディア・ストリーミング・デバイスを示す斜視図。
【図１５Ｃ】実施形態に係る、折り畳んだ形態におけるメディア・ストリーミング・デバイスを示す斜視図。
【図１５Ｄ】実施形態に係る、開いた形態におけるメディア・ストリーミング・デバイスを示す別の斜視図。
【図１６】実施形態に係る、メディア・ストリーミング・デバイスを示す分解組立図。
【図１７】他の実施形態に係る、プリント回路基板アセンブリを示す部分的な分解組立図。
【図１８Ａ】実施形態に係る、下部エンクロージャ・アセンブリを示す斜視図。
【図１８Ｂ】別の実施形態に係る、下部エンクロージャ・アセンブリを示す斜視図。
【図１９Ａ】実施形態に係る、プリント回路基板アセンブリを示す上面図。
【図１９Ｂ】実施形態に係る、シールド・カンがない状態のプリント回路基板アセンブリに連結されている出力コード・セグメントを示す図。
【図１９Ｃ】実施形態に係る、シールド・カンを備えたプリント回路基板アセンブリに連結されている出力コード・セグメントを示す図。
【図２０Ａ】実施形態に係る、シールド・カンがない状態のプリント回路基板アセンブリを示す底面図。
【図２０Ｂ】実施形態に係る、シールド・カンを備えたプリント回路基板アセンブリを示す底面図。
【図２１】実施形態に係る、音声コンテンツをストリーミング配信するよう構成されている音声ストリーミング・デバイスを示す図。
【図２２】実施形態に係る、音声ストリーミング・デバイスを示す分解組立図。
【図２３Ａ】実施形態に係る、プリント回路基板アセンブリを示す上面図。
【図２３Ｂ】実施形態に係る、プリント回路基板アセンブリを示す底面図。
【図２４Ａ】実施形態に係る、下部エンクロージャ・アセンブリの外観を示す斜視図。
【図２４Ｂ】別の実施形態に係る、下部エンクロージャ・アセンブリの内部を示す斜視図。
【図２５Ａ】実施形態に係る、シールド・カンがない状態のプリント回路基板アセンブリを示す上面図。
【図２５Ｂ】実施形態に係る、シールド・カンを備えたプリント回路基板アセンブリを示す上面図。
【図２６Ａ】実施形態に係る、シールド・カンがない状態のプリント回路基板アセンブリを示す底面図。
【図２６Ｂ】実施形態に係る、シールド・カンを備えたプリント回路基板アセンブリを示す底面図。
【発明を実施するための形態】
【０００４】
１以上の実施形態の詳細が、添付の図面及び以下の明細書内で説明される。その他の特徴は、明細書及び請求項から明らかになるであろう。
一態様によると、装置は、電子回路を有するプリント回路基板の基体を囲うハウジングを有するメディア・ストリーミング・デバイスを備え得る。前記電子回路は、メディア・コンテンツ・ソースから無線でメディア・コンテンツを受信し得る。装置は、メディア・ストリーミング・デバイスの前記ハウジング内でプリント回路基板に固着される（抜き取りができない）第１端部と、表示デバイスのメディア・ポートに連結されるよう構成されている第２端部とを有する出力コード・セグメントを備え得る。電子回路はさらに、音声出力コード・セグメントを通じて表示デバイスで受信したメディア・コンテンツを送信するよう構成されている。装置は、電力コード・セグメントを備えることができ、電力コード・セグメントは、メディア・ストリーミング・デバイスに連結されるよう構成されている第１端部と、電源に連結されるよう構成されている第２端部とを有する。出力コード・セグメントは、メディア・ストリーミング・デバイスの重量に対して閾値を超える剛性を規定する１以上の材料を含んでなることによって、出力コード・セグメントの第２端部がメディア・ポートに連結されると、メディア・ストリーミング・デバイスは出力コード・セグメントと電力コード・セグメントとの間において宙に浮かせてもよい。
【０００５】
装置は、１以上の下記の特徴（又はそれらの任意の組み合わせ）を備え得る。出力コード・セグメントの長さは、９０〜１２０ミリメートルの範囲内であり得る。出力コード・セグメントの第２端部がメディア・ポートに連結されると、メディア・ストリーミング・デバイスはメディア・ポートから垂直方向にぶら下がる。一方、出力コード・セグメントの剛性によって、メディア・ポートから水平方向に離隔するようにメディア・ストリーミング・デバイスを位置決めする。出力コード・セグメントが受信デバイスに連結されると、出力コード・セグメントは１以上の屈曲箇所を含み得る。出力コード・セグメントは、剛性を規定する１以上の材料を含んでなることによって、出力コード・セグメントが受信デバイスに連結された際、出力コード・セグメントが受信デバイスとメディア・ストリーミング・デバイスとの間の距離を維持するよう構成され得る。この距離は、出力コード・セグメントの長さの半分よりも長い。出力コード・セグメントの長さは、電力コード・セグメントの長さよりも長くてもよい。出力コード・セグメントは、電力コード・セグメントの幅よりも広い幅を有し得る。出力コード・セグメントは、電力コード・セグメントの剛性よりも大きい剛性を有する。メディア・ストリーミング・デバイスのハウジングは、略円柱形であり得る。出力コード・セグメントの第１端部は、低電圧差動信号（ＬＶＤＳ）コネクタを画定し得る。出力コード・セグメントの第２端部は、高精細度マルチメディア・インターフェース（ＨＤＭＩ（登録商標））コネクタを画定し得る。メディア・ストリーミング・デバイスは、上部エンクロージャ・アセンブリと、両面に集積回路を有するプリント回路基板アセンブリと、下部エンクロージャ・アセンブリとを含み得る。ＬＶＤＳコネクタは、プリント回路基板に連結される。電力コード・セグメントは、第２端部上にＵＳＢコネクタを有し、第１端部上にマイクロＵＳＢコネクタを有するユニバーサル・シリアル・バス（ＵＳＢ）コードを含み得る。出力コード・セグメントの前記第２端部は、メディア・ストリーミング・デバイスに磁気的に連結されるよう構成されているマグネットを含み得る。メディア・ストリーミング・デバイスは、映像コンテンツをメディア・コンテンツ・ソースから受信デバイスへ提供するよう構成されている。メディア・ストリーミング・デバイスのハウジングは、上部エンクロージャ・アセンブリとボトム・エンクロージャ・アセンブリとを含み得る。前記上部エンクロージャ・アセンブリは、トップ及び下部エンクロージャ・アセンブリが前記プリント回路基板を保持する空間を形成するように、前記下部エンクロージャ・アセンブリに連結され得る。下部エンクロージャ・アセンブリはコネクタ・スロットを画定し得る。出力コード・セグメントは、コネクタ・スロットを介して前記ハウジング内に延びる。出力コード・セグメントの第１端部は、低電圧差動信号（ＬＶＤＳ）コネクタを含み得る。ＬＶＤＳコネクタは、プリント回路基板に連結される。出力コード・セグメントの第１端部はさらに、リップを画定し得る。リップは、ハウジング内に配置される。リップはハウジングに係合することで、ＬＶＤＳコネクタがプリント回路基板から取り外されないことを確実にし得る。ハウジングは、第１位置においてハウジングの側壁上にマイクロ・ユニバーサル・シリアル・バス（マイクロＵＳＢ）・スロットを画定し得る。ハウジングは、第２位置においてハウジングの前記側壁上にコネクタ・スロットを画定する。電力コード・セグメントはマイクロＵＳＢスロットから延び、出力コード・セグメントはコネクタ・スロットから延びる。
【０００６】
装置は、プリント回路基板を囲うハウジングを有するメディア・ストリーミング・デバイスを備える。プリント回路基板は、電子回路を含み得る。電子回路は、メディア・コンテンツをメディア・コンテンツ・ソースから無線で受信し得る。ハウジングは、マイクロＵＳＢコネクタを受けるよう構成されているマイクロ・ユニバーサル・シリアル・バス（マイクロＵＳＢ）・スロットを画定し得る。装置は、第１端部と第２端部とを有する出力コード・セグメントを備え得る。出力コード・セグメントの第１端部は第１コネクタとリップとを有する。第１コネクタは、ハウジング内でプリント回路基板に固着される。リップはハウジング内に配置される。リップはハウジングに係合することで、第１コネクタがプリント回路基板から取り外されないことを確実にし得る。出力コード・セグメントの第２端部は、第２コネクタを有し、第２コネクタは、表示デバイスのメディア・ポートに連結されるよう構成されている。電子回路はさらに、出力コード・セグメントを通して表示デバイスで受信したメディア・コンテンツを送信するよう構成され得る。装置は、マイクロＵＳＢスロットを介してメディア・ストリーミング・デバイスに連結されるよう構成されているマイクロＵＳＢコネクタを画定する第１端部を有する電力コード・セグメントを有し得る。電力コード・セグメントは、電源に連結されるよう構成されている第２端部を有する。第２コネクタが前記メディア・ポートに連結されると、メディア・ストリーミング・デバイスが出力コード・セグメントと電力コード・セグメントとの間において宙に浮くように、出力コード・セグメントは、メディア・ストリーミング・デバイスの重量に対して閾値を超える剛性を規定する１以上の材料を含み得る。
【０００７】
一態様によると、装置は、メディア・コンテンツをメディア・コンテンツ・ソースから無線で受信するよう構成されている電子回路を有するメディア・ストリーミング・デバイスを備え得る。メディア・ストリーミング・デバイスは、プリント回路基板アセンブリを含んでもよいし、マイクロＵＳＢコネクタを受けるよう構成されているマイクロ・ユニバーサル・シリアル・バス（ＵＳＢ）・スロットを画定してもよい。装置は、前記メディア・ストリーミング・デバイスに固着されている第１端部と、受信デバイスに連結されるよう構成されている第２端部とを有する出力コード・セグメントを備えることがあり、電子回路はさらに、出力コード・セグメントを通じて受信デバイスで受信したメディア・コンテンツを送信するよう構成されている。第１端部は、低電圧差動信号（ＬＶＤＳ）コネクタを画定することができ、ＬＶＤＳコネクタは、プリント回路基板アセンブリに連結され得る。装置は、マイクロＵＳＢスロットを介してメディア・ストリーミング・デバイスに連結されるよう構成されているマイクロＵＳＢコネクタを画定する第１端部を有する電力コード・セグメントを備え得る。電力コード・セグメントは、電源に連結されるよう構成されている第２端部を有する。出力コード・セグメントは、メディア・ストリーミング・デバイスの重量に対して閾値を超えた剛性を規定する１以上の材料を含む。出力コード・セグメントは、メディア・ストリーミング・デバイスを受信デバイスの表面から一定の距離をもって離間すべく位置決めするよう構成されている。
【０００８】
装置は、１以上の上記又は下記の特徴（又はそれらの任意の組み合わせ）を備え得る。出力コード・セグメントは、９０〜１２０ミリメートル（ｍｍ）の範囲内の長さを有し得る。メディア・ストリーミング・デバイスは、４５〜５５ミリメートル（ｍｍ）の範囲内の直径を有する略円柱形を有し得る。メディア・ストリーミング・デバイスは、上部エンクロージャ・アセンブリと下部エンクロージャ・アセンブリとを有することができ、プリント回路基板アセンブリは、上部エンクロージャ・アセンブリと下部エンクロージャ・アセンブリとの間に配置される。プリント回路基板アセンブリは、プリント回路基板アセンブリの同じ側に配置される第１集積回路と第２集積回路とを含む複数の集積回路を含み得る。プリント回路基板アセンブリは、複数の集積回路をカバーする二層シールドを有し得、二層シールドは、第１集積回路と第２集積回路とを離間させるシールド壁を有する内側フレームを含む。二層シールドは、内側フレームに連結されるカバー・シールドを含み得る。出力コード・セグメントの第２端部は、高精細度マルチメディア・インターフェース（ＨＤＭＩ）コネクタを画定し得る。
【０００９】
一態様によると、装置は、メディア・コンテンツをメディア・コンテンツ・ソースから無線で受信するよう構成されている電子回路を有するメディア・ストリーミング・デバイスを備え得る。メディア・ストリーミング・デバイスは、プリント回路基板アセンブリを囲うハウジングを含み得る。メディア・ストリーミング・デバイスのハウジングは、電力コード・セグメントのコネクタを受けるよう構成されているコネクタ・スロットを画定し得る。メディア・ストリーミング・デバイスは、メディア・ストリーミング・デバイスのプリント回路基板アセンブリに固着されている第１端部と、受信デバイスに連結されるよう構成されている第２端部とを有する出力コード・セグメントを含み得る。電子回路はさらに、出力コード・セグメントを通じて受信デバイスで受信したメディア・コンテンツを送信するよう構成されている。出力コード・セグメントは、出力コード・セグメントが受信デバイスと前記メディア・ストリーミング・デバイスとの間の一定の距離を維持するよう構成されるような長さと剛性とを有し得る。出力コード・セグメントの長さは、メディア・ストリーミング・デバイスの表示スクリーンの長さよりも小さい。この距離は、出力コード・セグメントの長さの半分以上である。
【００１０】
装置は、１以上の上記又は下記の特徴（又はそれらの任意の組み合わせ）を備え得る。出力コード・セグメントは、メモリ形材料を含み得る。出力コード・セグメントの第１端部は、低電圧差動信号（ＬＶＤＳ）コネクタを含み得、ＬＶＤＳコネクタは、メディア・ストリーミング・デバイスのハウジング内に配置される。
【００１１】
一態様によると、装置は、メディア・コンテンツ・ソースから無線でメディア・コンテンツを受信するよう構成されている電子回路を含むメディア・ストリーミング・デバイスと、前記メディア・ストリーミング・デバイスの音声入力ポートに連結されるよう構成されている第１端部、及び音声レンダリング・デバイスに連結されるよう構成されている第２端部を有する音声出力コード・セグメントとを備え得る。電子回路はさらに、音声出力コード・セグメントを通じて音声レンダリング・デバイスへ音声コンテンツを送信するよう構成されている。
【００１２】
装置は、１以上の上記又は下記の特徴（又はそれらの任意の組み合わせ）を備え得る。装置は、メディア・ストリーミング・デバイスに連結されるよう構成されている第１端部と電源に連結されるよう構成されている第２端部とを有する電力コード・セグメントを備え得る。第１端部はメディア・ストリーミング・デバイスの音声入力ポートに着脱自在に連結され得る。音声出力コード・セグメントにはデジタル・コード・セグメントを含み得る。音声出力コード・セグメントにはアナログ・コード・セグメントを含み得る。メディア・ストリーミング・デバイスの構造は略円柱形であり得る。メディア・ストリーミング・デバイスは、上部エンクロージャ・アセンブリと、集積回路を有する基板を基板の第１面及び第２面に有するプリント回路アセンブリと、下部エンクロージャ・アセンブリとを含み得、上部エンクロージャ・アセンブリは締結具を介して下部エンクロージャ・アセンブリに連結される。システム・オン・チップ（ＳＯＣ）はプリント回路基板アセンブリの基板の第１面に配置され得、音声出力回路はプリント回路基板アセンブリの基板の第２面に配置され得る。メディア・ストリーミング・デバイスは、電力コード・セグメントのマイクロＵＳＢコネクタを受けるよう構成されているマイクロＵＳＢコネクタを画定し得る。
【００１３】
一態様によると、装置は、メディア・コンテンツ・ソースから無線でメディア・コンテンツを受信するよう構成されている電子回路を含むメディア・ストリーミング・デバイスを備え得る。メディア・ストリーミング・デバイスは、プリント回路基板アセンブリを有し得る。メディア・ストリーミング・デバイスは、マイクロＵＳＢコネクタを受けるよう構成されているマイクロ・ユニバーサル・シリアル・バス（ＵＳＢ）・スロットを画定し得る。装置は、メディア・ストリーミング・デバイスの音声入力ポートに連結されるよう構成されている第１端部と音声レンダリング・デバイスに連結されるよう構成されている第２端部とを有する音声出力コード・セグメントを備え得ることができ、電子回路はさらに、音声出力コード・セグメントを通じて音声レンダリング・デバイスへ音声コンテンツを送信するよう構成されている。装置は、マイクロＵＳＢスロットを介してメディア・ストリーミング・デバイスに連結されるよう構成されているマイクロＵＳＢコネクタを画定する第１端部を有する電力コード・セグメントを備え得る。電力コード・セグメントは、電源に連結されるよう構成されている第２端部を有する。
【００１４】
装置は、１以上の上記又は下記の特徴（又はそれらの任意の組み合わせ）を備え得る。メディア・ストリーミング・デバイスは、直径が４５〜５５ミリメートル（ｍｍ）の範囲内にある略円柱形を有し得る。メディア・ストリーミング・デバイスは、上部エンクロージャ・アセンブリと下部エンクロージャ・アセンブリとを含むことができ、上部エンクロージャ・アセンブリと下部エンクロージャ・アセンブリとの間にプリント回路基板アセンブリが配置される。プリント回路基板アセンブリは複数の集積回路を含んでなることができ、集積回路はプリント回路基板アセンブリの基板の同一の面に配置される第１集積回路と第２集積回路とを有する。プリント回路基板アセンブリは、複数の集積回路をカバーする二層シールドを有することができ、二層シールドは、第１集積回路と第２集積回路を分離するシールド壁を備えた内側フレームと、内側フレームに連結されるカバー・シールドとを含む。音声出力コード・セグメントにはデジタル・コード・セグメントを含み得る。音声出力コード・セグメントにはアナログ・コード・セグメントを含み得る。
【００１５】
一態様によると、装置は、メディア・コンテンツ・ソースから無線でメディア・コンテンツを受信するよう構成されている電子回路を含むメディア・ストリーミング・デバイスを備え得る。装置は、メディア・ストリーミング・デバイスの音声入力ポートに連結されるよう構成されている第１端部と、音声レンダリング・デバイスに連結されるよう構成されている第２端部とを有する音声出力コード・セグメントを備え得、電子回路は、音声出力コード・セグメントのタイプを検出し、検出されたタイプに従って音声コンテンツを初期化するよう構成されている音声出力回路を含む。電子回路は、初期化された音声コンテンツを音声出力コード・セグメントを通じて前記音声レンダリング・デバイスへ送信するよう構成され得る。
【００１６】
装置は、１以上の上記又は下記の特徴（又はそれらの任意の組み合わせ）を備え得る。音声出力回路は、音声出力コード・セグメントがデジタル・タイプ・コードであるかアナログ・タイプ・コードであるかを検出するよう構成され得る。音声出力回路は、メディア・ストリーミング・デバイスの基板に連結され得る。メディア・ストリーミング・デバイスは、直径が４５〜５５ミリメートル（ｍｍ）の範囲内にある略円柱形を有し得る。メディア・ストリーミング・デバイスは、上部エンクロージャ・アセンブリと、第１面及び第２面を含む基板を有するプリント回路基板アセンブリと、下部エンクロージャ・アセンブリとを含み得る。上部エンクロージャ・アセンブリは、締結具を介して前記下部エンクロージャ・アセンブリに連結される。音声出力回路は、基板の前記第１面に連結される。
【００１７】
本開示は、２つのコード・セグメントの間に懸架されるメディア・ストリーミング・デバイスを提供する。一方のコード・セグメントは、特定のメディア転送インターフェース（たとえば、高精細度マルチメディア・インターフェース（ＨＤＭＩ）出力ケーブル又は音声ケーブル）を通じてメディア・コンテンツを転送するためのケーブルである。他方のコード・セグメントは、電源（たとえば、直流又は交流電源）に接続された電力コードである。メディア・ストリーミング・デバイスは、メディア・ストリーミング・デバイスが２つのコード・セグメントの間に懸架される程度に小型かつ軽量であり得る。いくつかの例において、２つのコード・セグメントのうち一方又は両方は、可撓性があってもよいが、メディア・ストリーミング・デバイスを掛けるのに十分な剛性があってもよい。さらに、コード・セグメントの長さは、受信デバイスの無線周波数（ＲＦ）性能に対する悪影響を低減させるべく、受信デバイスにおいて、及び／又は、受信デバイスから十分遠くに離れて、隣接するメディア転送インターフェース接続の干渉又はポート・ブロッキングを最小限にする方法で、メディア・ストリーミング・デバイスが受信デバイスから離れた位置において懸架されるように、設計され得る。
【００１８】
メディア・ストリーミング・デバイスは、一定のサイズ、形状、及び重量を有し得る。コード・セグメントは、ユーザの視点からは、ストリーミング・ソリューション全体が１つの延長コードとして、電子モジュールがそのコードに一体化された状態で現れるよう、一定の厚さを有し得る。いくつかの従来のメディア・ストリーミング・デバイスにおいて、コネクタはメディア・ストリーミング・デバイスのハウジングから直接的に延びており、メディア・ストリーミング・デバイスのコネクタは受信デバイス（たとえば、メディア・ストリーミング・ドングル又はメディア・ストリーミング・スティック）のコネクタに直接的に差し込まれている。一方、本開示の様々な実施形態において、コード・セグメントはメディア・ストリーミング・デバイスに連結され、受信デバイスがコード・セグメントを介してメディア・ストリーミング・デバイスに接続されるよう、コネクタはコード・セグメントの端部上に設置される。コード・セグメントは、受信デバイスから離れた位置においてメディア・ストリーミング・デバイスを掛けるために、一定の厚み及び剛性を有する。いくつかの例において、コード・セグメントのうち一方又は両方は、一定の形を維持するよう構成されている形状記憶材料を含み得る。
【００１９】
図１は、実施形態に係る、ストリーミング・ソリューションを実装するためのシステム１００を示す。システム１００は、メディア・ストリーミング・デバイス１０２を含む。メディア・ストリーミング・デバイス１０２は、無線通信を通じてストリーミング配信されたメディア・コンテンツをメディア・コンテンツ・ソース１０６から受信デバイス１０４へ転送するよう構成されている。受信デバイス１０４は、音声及び／又は映像コンテンツを受信し、その後にレンダリングすることができる任意のタイプのデバイスであり得る。いくつかの例において、受信デバイス１０４は、映像コンテンツを表示することが可能である表示スクリーンを含み得るか、もしそうでない場合、該表示スクリーンに接続され得る。表示スクリーンは、液晶ディスプレイ（ＬＣＤ）、プラズマ・ディスプレイ、ブラウン管、又は当業者に知られている任意のタイプの表示スクリーン装置であり得る。受信デバイス１０４は、音声コンテンツをレンダリングすることが可能である１つ以上のスピーカを含み得るか、１つ以上のスピーカに接続され得る。いくつかの例において、受信デバイス１０４は、テレビ受像機、スタンドアロン表示デバイス、タブレット、ゲーム機、ラップトップ・コンピュータなどであり得る。いくつかの例において、受信デバイス１０４は、（映像コンテンツではなく）音声コンテンツをレンダリングすることが可能である音声デバイスであり得る。
【００２０】
メディア・ストリーミング・デバイス１０２は、システム・オン・チップと、データを無線で送受信するよう設計されている１以上のアンテナ構造を有する１以上の無線インターフェースと、を含み得る。ＳＯＣは、２以上のコンポーネントをチップに一体化する集積回路であってもよいし、デジタル、アナログ、混合信号を含んでもよいし、無線周波数関数を含んでもよい。他の例において、無線周波数関数は、別体のチップ上に提供され得る。メディア・ストリーミング・デバイス１０２は、ネットワーク１５０を通じてメディア・コンテンツ・ソース１０６から受信デバイス１０４へメディア・コンテンツをストリーミング配信するよう構成され得る。ネットワーク１５０は、任意のタイプの公衆あるいは私設通信ネットワーク（インターネットなど（たとえば、Ｗｉ−Ｆｉ（登録商標）、モバイル・ネットワーク）又は（狭域通信ネットワーク（たとえば、Ｂｌｕｅｔｏｏｔｈ（登録商標）、近距離無線通信（ＮＦＣ））であり得る。メディア・コンテンツは、映像及び／又は音声データを含み得る。メディア・コンテンツ・ソース１０６は、メディア・コンテンツを提供することが可能である任意のタイプのデバイスであり得る。メディア・コンテンツ・ソース１０６は、コンシューマ・コンピューティング・デバイス（たとえば、タブレット、スマートフォン、デスクトップ・コンピュータ、ラップ上部コンピュータ、タブレット、ゲーム機）であり得る。他の例において、メディア・コンテンツ・ソース１０６は、ネットワーク１５０を通じてメディア・コンテンツを提供するよう構成されている１以上のアプリケーションをホストする１以上のサーバ・デバイスであり得る。
【００２１】
メディア・ストリーミング・デバイス１０２は、メディア・ストリーミング・デバイス１０２のコンポーネントを収容するよう構成されているハウジング１０３を有し得る。メディア・ストリーミング・デバイス１０２のコンポーネントはさらに、図２及び図３を参照して説明される。ハウジング１０３は、単一のコンポーネント又は連結された複数のコンポーネントであり得る。ハウジング１０３は、円形、長方形、又は任意のタイプの非円形及び／又は非長方形を有し得る。いくつかの例において、ハウジング１０３は、円柱形（たとえば、パック形）であり得る。
【００２２】
メディア・ストリーミング・デバイス１０２は、出力コード・セグメント１１０を介して受信デバイス１０４に連結され得る。メディア・ストリーミング・デバイス１０２は、電力コード・セグメント１１２を介して電源１０８に連結され得る。出力コード・セグメント１１０は、メディア・ストリーミング・デバイス１０２と受信デバイス１０４との間における物理的な接続を提供することができ、メディア・ストリーミング・デバイス１０２と受信デバイス１０４との間において、メディア・コンテンツは、出力コード・セグメント１１０を介してメディア・ストリーミング・デバイス１０２から受信デバイス１０４へ送られる。いくつかの例において、出力コード・セグメント１１０は、ＨＤＭＩコード・セグメントである。いくつかの例において、出力コード・セグメント１１０は、音声コード・セグメント（デジタル又はアナログ）である。
【００２３】
電力コード・セグメント１１２は、メディア・ストリーミング・デバイス１０２と電源１０８との間における物理的な接続を提供し得る。電源１０８は、交流電源（たとえば、交流壁コンセント）であり得る。他の例において、電源１０８は、直流電源（たとえば、他のコンピューティング・デバイス）である。電力コード・セグメント１１２は、電源１０８からメディア・ストリーミング・デバイス１０２へ電力を転送するよう構成されている。いくつかの例において、電力コード・セグメント１１２は、ユニバーサル・シリアル・バス（ＵＳＢ）電力コードである。いくつかの例において、電力コード・セグメント１１２は、ＵＳＢ電力及びデータ・コードである。
【００２４】
電力コード・セグメント１１２は、出力コード・セグメント１１０より長くてもよい。他の例において、電力コード・セグメント１１２は、出力コード・セグメント１１０よりも短い。他の例において、電力コード・セグメント１１２は、出力コード・セグメント１１０と同一の長さである。いくつかの例において、電力コード・セグメント１１２は、出力コード・セグメント１１０よりも直径が大きい。他の例において、電力コード・セグメント１１２は、出力コード・セグメント１１０よりも直径が小さい。他の例において、電力コード・セグメント１１２は、出力コード・セグメント１１０と同一の直径を有する。
【００２５】
出力コード・セグメント１１０は、メディア・ストリーミング・デバイス１０２から受信デバイス１０４へ音声及び／又は映像コンテンツを転送するよう構成されている１以上の材料を含み得る。いくつかの例において、出力コード・セグメント１１０は、１以上の金属線を囲うよう構成されている外側材料を含み得る。いくつかの例において、出力コード・セグメント１１０は、可撓性があるが、メディア・ストリーミング・デバイス１０２を懸架するために十分な剛性のある第１材料を含んでもよい。いくつかの例において、第１材料は高分子材料である。いくつかの例において、第１材料は形状記憶材料である。いくつかの例において、出力コード・セグメント１１０は１以上の形状記憶ワイヤを含む。いくつかの例において、電力コード・セグメント１１２は、可撓性があるが、メディア・ストリーミング・デバイス１０２を懸架するために十分な剛性のある第２材料を含む。いくつかの例において、第２材料は高分子材料である。いくつかの例において、第２材料は形状記憶材料である。いくつかの例において、第１材料は第２材料と同一の材料である。他の例において、第１材料は第２材料とは異なる。
【００２６】
出力コード・セグメント１１０は、メディア・ストリーミング・デバイス１０２のハウジング１０３に連結されるよう構成されている第１端部１１１と、受信デバイス１０４に連結されるよう構成されている第２端部１１３とを含み得る。第１端部１１１は、メディア・ストリーミング・デバイス１０２に固着され得る。たとえば、第１端部１１１は、メディア・ストリーミング・デバイス１０２から抜き取れなくてもよい。たとえば、出力コード・セグメント１１０は、通常の使用条件下において（たとえば、メディア・ストリーミング・デバイス１０２又は出力コード・セグメント１１０に損傷を与えずに、及び、定常操作には不要である分解を行わずに）、ユーザによってメディア・ストリーミング・デバイス１０２から取り外されなくてもよい。第１端部１１１は、メディア・ストリーミング・デバイス１０２のハウジング１０３に一体的に結合され得る。第１端部１１１は、メディア・ストリーミング・デバイス１０２の対応するコネクタに連結されるよう構成されているコネクタを画定し得る。いくつかの例において、コネクタは、出力コード・セグメント１１０がメディア・ストリーミング・デバイス１０２に一体的に連結されるように、メディア・ストリーミング・デバイス１０２のハウジング１０３内に含まれ得る。いくつかの例において、第１端部１１１のコネクタは、低電圧差動信号（ＬＶＤＳ）コネクタである。いくつかの例において、第１端部１１１のコネクタは、音声タイプのコネクタである。第２端部１１３は、受信デバイス１０４に着脱自在に連結され得る。いくつかの例において、第２端部１１３は、受信デバイス１０４に関連付けられているＨＤＭＩコネクタに連結されたＨＤＭＩコネクタを画定し得る。いくつかの例において、第２端部１１３のコネクタは、受信デバイス１０４の対応するコネクタに連結されるよう構成されている音声タイプのコネクタである。いくつかの例において、出力コード・セグメント１１０と関連付けられているコネクタとの構成は、代理人整理番号００５９−２１０Ｐ０１を有する、２０１５年９月８日に出願された「メディア・デバイスに一体化される、改善された高精細度マルチメディア・インターフェース（ＨＤＭＩ）・ケーブル」という名称の出願番号６２／２１５，５７１において提供されている。その全ての開示内容は参照することにより本願に組み込まれるものとする。
【００２７】
電力コード・セグメント１１２は、メディア・ストリーミング・デバイス１０２に連結されるよう構成されている第１端部１１７と、電源１０８に連結されるよう構成されている第２端部１１９とを含み得る。電力コード・セグメント１１２の第１端部１１７は、メディア・ストリーミング・デバイス１０２に着脱自在に連結され得る。他の例において、電力コード・セグメント１１２の第１端部１１７は、メディア・ストリーミング・デバイス１０２に固定的に連結され得る。いくつかの例において、電力コード・セグメント１１２の第１端部１１７は、メディア・ストリーミング・デバイス１０２上の雌型ＵＳＢコネクタに連結される雄型ＵＳＢコネクタを画定し得る。電力コード・セグメント１１２の第２端部１１９は、壁ソケットに挿入される電力プラグ・アダプタを画定し得る。いくつかの例において、第２端部１１９は、デバイスに連結されるよう構成されているＵＳＢコネクタを画定し得る。いくつかの例において、第２端部１１９は、ＵＳＢコネクタと電力プラグ・アダプタとを画定し得る。ＵＳＢコネクタは、電力プラグ・アダプタに着脱自在に連結される。いくつかの例において、メディア・ストリーミング・デバイス１０２の外側ハウジング１０３は、出力コード・セグメント１１０及び／又は電力コード・セグメント１１２の形状と同一又は類似である円筒形を有し得る。いくつかの例において、外側ハウジング１０３は、出力コード・セグメント１１０及び電力コード・セグメント１１２より大きくてもよい。
【００２８】
メディア・ストリーミング・デバイス１０２は、コード・セグメント１１０，１１２がメディア・ストリーミング・デバイス１０２を組み付けられたシステム１００に沿って懸架することができるように、比較的小型で軽量であり得る。いくつかの例において、出力コード・セグメント１１０（メディア・ストリーミング・デバイス１０２から抜き取れない）は、出力コード・セグメント１１０がメディア・ストリーミング・デバイスの重量を支持できる程度に十分な剛性がある。たとえば、メディア・ストリーミング・デバイス１０２の重量に対して、出力コード・セグメント１１０の材料は、出力コード・セグメント１１０に可撓性をもたせるが、組み付けの際に出力コード・セグメントがメディア・ストリーミング・デバイス１０２の重量を支持できる程度の剛性をもたせる１以上の性質を含む。いくつかの例において、出力コード・セグメント１１０は、一定の閾値を超える弾性（たとえば、ヤング率）を規定し、その閾値がメディア・ストリーミング・デバイス１０２の重量に対して選択される１以上の材料を含み得る。たとえば、メディア・ストリーミング・デバイス１０２の荷重において、出力コード・セグメント１１０の剛性によってメディア・ストリーミング・デバイス１０２が（水平方向における）受信デバイスのメディア・ポート（たとえば、ＨＤＭＩポート）から遠ざけられるよう、出力コード・セグメント１１０は実質的にその形状を維持することができる。出力コード・セグメント１１０は、メディア・ストリーミング・デバイス１０２の重量に応じて実質的に変形が阻止されるという意味において、一定の非可撓性を有し得る。いくつかの例において、メディア・ストリーミング・デバイス１０２の力よりも大きな力が出力コード・セグメント１１０に加えられると、出力コード・セグメント１１０は曲がり、その屈曲形状を保持し得る。
【００２９】
組み付けがなされると、ユーザは、ストリーミング・ソリューション（コード・セグメント１１０，１１２を有するメディア・ストリーミング・デバイス１０２）を、一端に電力プラグを有し他端に出力を有するケーブル・アセンブリとして知覚し得る。たとえば、出力コード・セグメント１１０のコネクタが受信デバイス１０４に連結され、電力コード・セグメント１１２がメディア・ストリーミング・デバイス１０２と電源１０８とに連結されると、メディア・ストリーミング・デバイス１０２は宙に浮くよう、及び／又は、受信デバイス１０４から離間して懸架されるよう構成される。
【００３０】
出力コード・セグメント１１０の長さは、受信デバイス１０４に比較的近くあり続けるのに十分な程度に短い（たとえば、ユーザから隠れる可能性がある）が、メディア・ストリーミング・デバイス１０２を受信デバイスのポートに直接的に差し込むことに関連付けられている１以上の問題を低減するのに十分な程度に長くなるよう設定され得る。いくつかの例において、出力コード・セグメント１１０の長さは、受信デバイス１０４の長さ未満であり得る。いくつかの例において、出力コード・セグメント１１０の長さは、受信デバイス１０４の表示スクリーンの長さ（又は幅）未満であり得る。さらに、出力コード・セグメント１１０の１つ又は複数の材料は、メディア・ストリーミング・デバイス１０２に力が加えられない（メディア・ストリーミング・デバイス１０２が出力コード・セグメント１１０の一端に連結され、出力コード・セグメント１１０の他端が受信デバイス１０４に連結されている）場合、メディア・ストリーミング・デバイス１０２は、出力コード・セグメント１１０の長さの半分より長い受信デバイス１０４からの距離を保つような性質を有する。同時に、出力コード・セグメント１１０は、ユーザが出力コード・セグメント１１０を所望の位置へ（たとえば、メディア・ストリーミング・デバイス１０２を隠す、又は、メディア・ストリーミング・デバイス１０２の無線機能を改善する）屈曲することを可能とする程度に十分な可撓性があり得る。
【００３１】
いくつかの例において、コード・セグメント１１０，１１２に連結されると、メディア・ストリーミング・デバイス１０２は宙に浮く。たとえば、コード・セグメント１１０，１１２に連結されると、メディア・ストリーミング・デバイス１０２は地面又は別の物体（受信デバイス１０４を含む）に接触する（もしそうでない場合は、載る）ことはなく、メディア・ストリーミング・デバイス１０２は、受信デバイス１０４から離れた位置に留まる。いくつかの例において、ストリーミング・ソリューションが組み付けられると、メディア・ストリーミング・デバイス１０２が受信デバイス１０４のどの部分にも接触しないように、出力コード・セグメント１１０は一定地点まで屈曲する（それによって１以上の屈曲箇所を設ける）。いくつかの例において、出力コード・セグメント１１０は、（メディア・ストリーミング・デバイス１０２に関して）剛性を提供する一定の剛性を規定する１以上の材料を含む。いくつかの例において、受信デバイス１０４の対応するメディア・ポート（たとえば、ＨＤＭＩポート）は受信デバイス１０４の側面（又は背面）に位置する。出力コード・セグメント１１０が受信デバイス１０４に連結されると、出力コード・セグメント１１０はメディア・ストリーミング・デバイス１０２を受信デバイス１０４の表面から一定の水平距離（出力コード・セグメント１１０の長さの５０％よりも長く）だけ遠ざける。出力コード・セグメント１１０は、完全には曲がらないことによって（たとえば、出力コード・セグメント１１０は僅かに曲がり得るが、ユーザが出力コード・セグメント１１０に対して更なる力を加えてメディア・ストリーミング・デバイス１０２を別の位置に移動させるまで一定の形状を維持し得る）メディア・ストリーミング・デバイス１０２を受信デバイス１０４の表面から遠ざける可能性がある。言い換えると、出力コード・セグメント１１０は受信デバイス１０４のメディア・ポート内に水平方向に差し込まれ得る。メディア・ストリーミング・デバイス１０２は一定の垂直距離（たとえば、およそ出力コード・セグメントの長さ）の分だけメディア・ポートからぶら下がるが、出力コード・セグメント１１０の剛性によってメディア・ストリーミング・デバイス１０２がメディア・ポートから水平距離の分だけ離れて設置され得る。
【００３２】
いくつかの例において、出力コード・セグメント１１０は屈曲可能な材料を含む。出力コード・セグメント１１０は、その形状を保持するよう構成されている（成形可能材料）。したがって、ユーザは、出力コード・セグメント１１０を所望の位置に変形させられる可能性がある（たとえば、ユーザの視界からメディア・ストリーミング・デバイス１０２を隠す、又は、受信デバイス１０４に対するメディア・ストリーミング・デバイス１０２の位置を変更することで、メディア・ストリーミング・デバイス１０２及び／又は受信デバイス１０４のＲＦ性能を高める）。
【００３３】
結果として、無線周波数（ＲＦ）性能が改善され得る。たとえば、受信デバイス１０４からのメディア・ストリーミング・デバイス１０２の無線通信に対する干渉が低減され得る。また、メディア・ストリーミング・デバイス１０２を受信デバイス１０４から離して設置することによって、受信デバイス１０４上の隣接するコネクタ・ポートがメディア・ストリーミング・デバイス１０２によって遮断されなくなる。たとえば、受信デバイス１０４は複数のポートを含み得るが、従来では、デバイスが直接的に複数のポートのうち１つに差し込まれると、該デバイスは、他のデバイスがこれらの隣接するポートを使用しないように１以上の隣接するポートを遮断する可能性がある。
【００３４】
図２は、実施形態に係る、映像コンテンツをストリーミング配信するよう構成されているメディア・ストリーミング・デバイス２０２を示す。いくつかの例において、メディア・ストリーミング・デバイス２０２は、図１のメディア・ストリーミング・デバイス１０２の上記特徴のうち１以上を含み得る。メディア・ストリーミング・デバイス２０２は、任意のタイプの汎用コンピューティング回路又は専用論理回路（たとえば、フィールド・プログラマブル・ゲート・アレイ（ＦＰＧＡ）又は特定用途向け集積回路（ＡＳＩＣ））などの中央処理装置（ＣＰＵ）２２０と、グラフィックス処理装置（ＧＰＵ）２２２と、ランダム・アクセス・メモリ（ＲＡＭ）２２４と、ストレージ２２６と、ネットワーク１５０を通じてメディア・ストリーミング・デバイス２０２をメディア・コンテンツ・ソース１０６に無線で接続するよう構成されているネットワーク・インターフェース２２８と、を含み得る。メディア・ストリーミング・デバイス２０２は他のコンポーネント（たとえば、１以上の電池、接続インターフェース）を含み得る。
【００３５】
メディア・ストリーミング・デバイス２０２は映像出力コード・セグメント２１０に連結され得る。映像出力コード・セグメント２１０は、メディア・ストリーミング・デバイス２０２に固着されるＨＤＭＩコード・セグメントであり得る。他の例において、映像出力コード・セグメント２１０はメディア・ストリーミング・デバイス２０２に着脱自在に連結される。映像出力コード・セグメント２１０は、図１の受信デバイス１０４に連結されるよう構成されている第１コネクタ２０７（たとえば、ＨＤＭＩコネクタ）と、メディア・ストリーミング・デバイス２０２に連結されるよう構成されている第２コネクタ２１４（たとえば、ＬＶＤＳコネクタ）と、を含み得る。メディア・ストリーミング・デバイス２０２は、電力コード・セグメント２１２に着脱自在に連結され得る。電力コード・セグメント２１２は、図１の電源１０８に着脱自在に連結されるよう構成されている第１コネクタ２０９と、メディア・ストリーミング・デバイス２０２に着脱自在に連結されるよう構成されている第２コネクタ２１５とを有するＵＳＢ電力コード・セグメントであり得る。第１コネクタ２０９は、ＵＳＢコネクタ、電力プラグ・アダプタ、又は、ＵＳＢコネクタ及び電力プラグ・アダプタであり得る。第２コネクタ２１５は、ＵＳＢコネクタ又はマイクロＵＳＢコネクタであり得る。
【００３６】
図３は、実施形態に係る、音声コンテンツをストリーミング配信するよう構成されているメディア・ストリーミング・デバイス３０２を示す。いくつかの例において、メディア・ストリーミング・デバイス３０２は、音声コンテンツをストリーミング配信するが、映像コンテンツはストリーミング配信しない。メディア・ストリーミング・デバイス３０２は、音声ストリーミング・デバイスとみなされ得る。音声ストリーミング・デバイスにおいては、ネットワーク化された音声コンテンツが、多種多様な既存のホーム・スピーカ・システムに対してシームレスにストリーミング配信される。いくつかの例において、メディア・ストリーミング・デバイス３０２は、交流又は直流電力を受信する可能性があり、共通のプラグ・フォーマット又はフォーマットの組を用いて音声出力を提供する可能性があり、メディア・データを制御及びストリーミング配信するための無線ネットワーク・コネクタを支持する。ユーザは、制御プロトコルを使用可能である１以上の他のコンピューティング・デバイスを通じてメディア・ストリーミング・デバイス３０２上でのメディア再生を制御できる可能性がある。さらに、メディア・ストリーミング・デバイス３０２は、デバイスをリセットする、又は、セットアップ・モードを起動するための最小ユーザ・インターフェースを提供し得るが、制御及び対話の大半は、メディア・ストリーミング・デバイス３０２と無線で通信する他のデバイスによって駆動され得る。
【００３７】
メディア・ストリーミング・デバイス３０２は、任意のタイプの汎用コンピューティング回路又は専用論理回路（たとえば、フィールド・プログラマブル・ゲート・アレイ（ＦＰＧＡ）又は特定用途向け集積回路（ＡＳＩＣ））などの中央処理装置（ＣＰＵ）３２０と、メモリ３２６と、ネットワーク１５０を通じてメディア・ストリーミング・デバイス３０２をメディア・コンテンツ・ソース１０６に無線で接続するよう構成されているネットワーク・インターフェース３２８と、受信デバイス１０４に音声コンテンツを出力するよう構成されている音声出力回路３３０と、を含み得る。メモリ３２６は、ＲＡＭ及び／又はストレージを含み得る。メディア・ストリーミング・デバイス３０２は他のコンポーネント（たとえば、１以上の電池、接続インターフェース）を含み得る。
【００３８】
メディア・ストリーミング・デバイス３０２は音声出力コード・セグメント３１０に連結され得る。音声出力コード・セグメント３１０は、メディア・ストリーミング・デバイス３０２に固着され得る。他の例において、音声出力コード・セグメント３１０はメディア・ストリーミング・デバイス３０２に着脱自在に連結される。音声出力コード・セグメント３１０は、図１の受信デバイス１０４に連結されるよう構成されている第１コネクタ３０７と、メディア・ストリーミング・デバイス３０２に連結されるよう構成されている第２コネクタ３１４とを含み得る。メディア・ストリーミング・デバイス３０２は、電力コード・セグメント３１２に着脱自在に連結され得る。電力コード・セグメント３１２は、図１の電源１０８に着脱自在に連結されるよう構成されている第１コネクタ３０９と、メディア・ストリーミング・デバイス３０２に着脱自在に連結されるよう構成されている第２コネクタ３１５とを有するＵＳＢ電力コード・セグメントであり得る。第１コネクタ３０９は、ＵＳＢコネクタ、電力プラグ・アダプタ、又は、ＵＳＢコネクタ及び電力プラグ・アダプタであり得る。第２コネクタ３１５は、ＵＳＢコネクタ又はマイクロＵＳＢコネクタであり得る。
【００３９】
音声出力回路３３０は、どのタイプの音声出力コード・セグメント３１０がメディア・ストリーミング・デバイス３０２に連結されるかを検出するよう構成され得る。いくつかの例において、音声出力回路３３０は、接続された音声出力コード・セグメント３１０がデジタル・タイプ・コードであるかアナログ・タイプ・コードであるかを検出するよう構成され得る。たとえば、デジタル・タイプ・コードは光音声コード（ＴＯＳＬＩＮＫ（商標登録）など）であってもよいし、アナログ・タイプ・コードはＲＣＡアダプタ・コードであってもよい。検出されるコードのタイプによって、音声出力回路３３０は、検出されるコードのタイプに対応する適切なフォーマットを有するよう音声コンテンツを初期化するよう構成されている。たとえば、音声出力回路３３０は、音声出力コード・セグメント３１０がデジタル・タイプ・コードであることを検出すると、音声出力回路３３０は音声コンテンツをデジタル・フォーマットに初期化する。音声出力回路３３０は、音声出力コード・セグメント３１０がアナログ・タイプ・コードであることを検出すると、音声コンテンツをアナログ・フォーマットに初期化する。いくつかの例において、音声出力回路３３０は、光インターフェースを介してデジタル音声を転送し、デジタル／アナログ変換器を介してアナログ音声を供給し、及び／又は、音声レンダリング・システムの様々なクラスに対処するために様々な電圧レベルにおける音声を供給し得る。
【００４０】
図４は、実施形態に係る、コンピュータ・モジュール４０２がデバイス４０４をアプリケーション特有のコンピュータに変換するように第１コード・セグメント４１０を介してデバイス４０４と第２コード・セグメント４１２を介して電源４０８とに連結されるよう構成されているコンピュータ・モジュール４０２を示す。第１コード・セグメント４１０は、任意の図面を参照して説明される任意の出力コード・セグメントであり得る。第２コード・セグメント４１２は、任意の図面を参照して説明される任意の電力コード・セグメントであり得る。さらに、コンピュータ・モジュール４０２は、任意の図面のメディア・ストリーミング・デバイス（映像又は音声）を参照して説明される１以上のコンポーネントを含み得る。
【００４１】
しかしながら、より一般的には、コンピュータ・モジュール４０２はネットワーク使用可能コンピュータ（たとえば、１以上のプロセッサ、非一時的なコンピュータ可読媒体、１以上のネットワーク・インターフェース、オペレーティング・システム、及び／又は１以上のアプリケーション）に関連付けられているコンポーネント又はロジックを含み得る。デバイス４０４に連結されると、コンピュータ・モジュール４０２はデバイス４０４を、ネットワーク１５０に接続可能であるアプリケーション特有のコンピュータに変換する。たとえば、デバイス４０４はランプであり得る。コンピュータ・モジュール４０２が第１コード・セグメント４１０を介してランプに連結されると、ランプは、以前は可能でなかった方法で操作及び制御されるよう構成されているランプ制御コンピュータに変換される。他の例において、デバイス４０４は電子レンジであり得る。コンピュータ・モジュール４０２が第１コード・セグメント４１０を介して電子レンジに連結されると、電子レンジは、以前は可能でなかった方法で操作及び制御されるよう構成されている電子レンジ制御コンピュータに変換される。ランプ及び電子レンジの例に加えて、デバイス４０４は電気的に制御可能である任意のタイプのデバイスであり得る。
【００４２】
いくつかの例において、コンピュータ・モジュール４０２は、第１コード・セグメント４１０に着脱自在に連結されている。他の例において、コンピュータ・モジュール４０２は、第１コード・セグメント４１０に固着されている。いくつかの例において、コンピュータ・モジュール４０２は、第２コード・セグメント４１２に着脱自在に連結されている。他の例において、コンピュータ・モジュール４０２は、第２コード・セグメント４１２に固着されている。いくつかの例において、第２コンピュータ・モジュール４１２は第１コード・セグメント４１０よりも長い。他の例において、第２コンピュータ・モジュール４１２は第１コード・セグメント４１０と同一の長さを有する。いくつかの例において、コンピュータ・モジュール４０２は、第１コード・セグメント４１０及び／又は第２コンピュータ・モジュール４１２の直径よりも小さい。他の例において、コンピュータ・モジュール４０２は、第１コード・セグメント４１０及び第２コンピュータ・モジュール４１２よりも僅かに大きい。いくつかの例において、第１コード・セグメント４１０及び第２コンピュータ・モジュール４１２は延長コードとして現れ、コンピュータ・モジュール４０２は該延長コードに一体化されるように現れる。
【００４３】
図５は、実施形態に係る、電力コード・セグメント５１２に固着され、出力コード・セグメント５１０に固着されるメディア・ストリーミング・デバイス５０２を示す。メディア・ストリーミング・デバイス５０２は、任意の図面を参照して説明される任意のメディア・ストリーミング・デバイスであり得る。図５を参照して、電力コード・セグメント５１２は、交流壁ソケットに差し込まれるよう構成されている電力コード・アダプタ５０９を含み得る。出力コード・セグメント５１０は、受信デバイスに連結されるよう構成されているＨＤＭＩコネクタ５０７を含み得る。
【００４４】
図６は、実施形態に係る、電力コード・セグメント６１２に着脱自在に連結され、出力コード・セグメント６１０に固着されるメディア・ストリーミング・デバイス６０２を示す。メディア・ストリーミング・デバイス６０２は、任意の図面を参照して説明される任意のメディア・ストリーミング・デバイスであり得る。図６を参照して、電力コード・セグメント６１２は、電力コード・セグメント６１２の一端にコネクタ６１５（たとえば、マイクロＵＳＢコネクタ）と、電力コード・セグメント６１２の他端にコネクタ６１６（たとえば、ＵＳＢコネクタ）と、コネクタ６１６に着脱自在に連結されるよう構成されている電力プラグ・アダプタ６１７とを含み得る。出力コード・セグメント６１０は、受信デバイス１０４に連結されるよう構成されているＨＤＭＩコネクタ６０７を含み得る。
【００４５】
図７は、実施形態に係る、出力コード・セグメント７１０に連結されているメディア・ストリーミング・デバイス７０２を示す。図１及び図７を参照して、メディア・ストリーミング・デバイス７０２はネットワーク１５０を通じてメディア・コンテンツ・ソース１０６から受信デバイス１０４へメディア・コンテンツをストリーミング配信するよう構成され得る。いくつかの例において、メディア・ストリーミング・デバイス７０２は、図２のメディア・ストリーミング・デバイス１０２又は図２のメディア・ストリーミング・デバイス２０２である。メディア・ストリーミング・デバイス７０２は、無線通信モジュールによって、Ｗｉ−Ｆｉ、Ｂｌｕｅｔｏｏｔｈ（又は、近距離無線通信（ＮＦＣ）など他の近距離プロトコル）、及び携帯電話を用いて通信するよう構成され得る。メディア・ストリーミング・デバイス７０２は、ＨＤＭＩコネクタ７０７を有する出力コード・セグメント７１０に連結され得る。いくつかの例において、メディア・ストリーミング・デバイス７０２は、ＵＳＢ電力スキームによって構成され得る。たとえば、メディア・ストリーミング・デバイス７０２は、電力コード・セグメントのＵＳＢコネクタを受信するよう構成されているコネクタ・スロット７３０を画定し得る。いくつかの例において、コネクタ・スロット７３０は、電力コード・セグメントのマイクロＵＳＢコネクタを受信するよう構成されているマイクロＵＳＢコネクタ・スロットである。さらに、メディア・ストリーミング・デバイス７０２は、リセット・ボタン７２９を含み得る。押下されると、リセット・ボタン７２９はメディア・ストリーミング・デバイスのリセットを開始するよう構成されている。リセット・ボタン７２９は、メディア・ストリーミング・デバイス７０２をリセットする、又は、セットアップ・モードを起動するための最小ユーザ・インターフェースの一部であるとみなされ得る。しかしながら、制御及び対話の大半は、メディア・ストリーミング・デバイス７０２と無線で通信する他のコンピューティング・デバイスによって駆動され得る。
【００４６】
メディア・ストリーミング・デバイス７０２は、組み付けられたストリーミング・ソリューションに沿ってメディア・ストリーミング・デバイス７０２が掛けられるように比較的小さく軽量である。組み付けがなされると、ユーザは、ストリーミング・ソリューション（たとえば、コード・セグメント７１０及び電力コード・セグメントを有するメディア・ストリーミング・デバイス７０２）を、一端に電力プラグを有し他端に出力を有する一体型ケーブル・アセンブリ（又は、連続コード・アセンブリ）として知覚し得る。たとえば、ＨＤＭＩコネクタ７０７が受信デバイス１０４に連結され、電力コード・セグメントがメディア・ストリーミング・デバイス７０２及び電源１０８に連結されると、メディア・ストリーミング・デバイス７０２は受信デバイス１０４から離れて懸架されるよう構成されている。出力コード・セグメント７１０の長さは、受信デバイス１０４に比較的近くに留まるのに十分なほど短い（たとえば、ユーザから隠れる可能性がある）が、メディア・ストリーミング・デバイス７０２を受信デバイスのＨＤＭＩポートに直接的に差し込むことに関連付けられている１以上の問題を低減するのに十分なほど長くなるよう設定され得る。
【００４７】
いくつかの例において、コード・セグメントに連結されると、メディア・ストリーミング・デバイス７０２は宙に浮く。いくつかの例において、コード・セグメントに連結されると、メディア・ストリーミング・デバイス７０２は地面又は別の物体に接触する（もしそうでない場合は、載る）ことはなく、メディア・ストリーミング・デバイス７０２は、受信デバイス１０４から離れた位置に留まる。いくつかの例において、メディア・ストリーミング・デバイス７０２は、受信デバイス１０４のＨＤＭＩポートからぶら下がるよう構成されている。いくつかの例において、メディア・ストリーミング・デバイス７０２は、ある角度で受信デバイス１０４のＨＤＭＩポートからぶら下がるよう構成されている。いくつかの例において、ストリーミング・ソリューションが組み付けられると、メディア・ストリーミング・デバイス７０２が受信デバイス１０４のどの部分にも接触しないように、出力コード・セグメント７１０は一定地点まで曲がる（それによって１以上の屈曲箇所を形成する）。
【００４８】
結果として、無線周波数（ＲＦ）性能が改善され得る。たとえば、受信デバイス１０４からのメディア・ストリーミング・デバイス７０２の無線通信に対する干渉が低減され得る。また、メディア・ストリーミング・デバイス７０２を受信デバイス１０４から離して設置することによって、受信デバイス１０４上の隣接するＨＤＭＩポートがメディア・ストリーミング・デバイス７０２によって遮断されなくなる。
【００４９】
さらに、出力コード・セグメント７１０は、出力コード・セグメント７１０が位置を維持できるよう、柔軟性があってもよいが半剛体であってもよい。いくつかの例において、出力コード・セグメント７１０は、屈曲可能な材料を含み、出力コード・セグメント７１０はその形状（たとえば、「ガンビー」タイプの材料）を保持するよう構成されている。したがって、ユーザは、出力コード・セグメント７１０を所望の位置に変形させられる可能性がある（たとえば、ユーザの視界からメディア・ストリーミング・デバイス７０２を隠す、又は、メディア・ストリーミング・デバイス７０２及び／又は受信デバイス１０４のＲＦ性能を高める）。いくつかの例において、出力コード・セグメント７１０は、メモリ形材料（たとえば、メモリ形ポリマー）を含む。いくつかの例において、出力コード・セグメント７１０は、メモリ形金属線を含む。したがって、出力コード・セグメント７１０は、コード・セグメント間に掛けられる際に屈曲形状に屈折するよう構成され得るが、受信デバイス１０４から分解される際は元の直線形状に戻るよう構成され得る。
【００５０】
いくつかの例において、メディア・ストリーミング・デバイス７０２は、直径と側壁７３１とを有する略円柱形である。いくつかの例において、メディア・ストリーミング・デバイス７０２は、メディア・ストリーミング・デバイス７０２の中心から外周上の点までの距離によって規定される直径を有する略円柱形であり得る。直径は４５〜５５ミリメートル（ｍｍ）の範囲内であり得る。いくつかの例において、直径は４８〜５３ｍｍの範囲内であり得る。いくつかの例において、直径は約５１．８ｍｍであり得る。いくつかの例において、側壁７３１は５〜１０ｍｍの範囲内の高さを有し得る。いくつかの例において、側壁７３１の高さは、約７ｍｍであり得る。メディア・ストリーミング・デバイス７０２の直径及び側壁７３１に関する上記範囲と値とによって、メディア・ストリーミング・デバイス７０２がコード・セグメント間に掛けられるようメディア・ストリーミング・デバイス７０２が比較的コンパクト（及び軽量）であることを確実にし得る。
【００５１】
出力コード・セグメント７１０は、メディア・ストリーミング・デバイス７０２に固定的に連結され得る。いくつかの例において、出力コード・セグメント７１０は、メディア・ストリーミング・デバイス７０２から着脱自在でない（たとえば、離脱して、メディア・ストリーミング・デバイス７０２を分解せずに）。言い換えると、出力コード・セグメント７１０とメディア・ストリーミング・デバイス７０２との間においてキャプティブ接続が用いられ得る。いくつかの例において、出力コード・セグメント７１０の長さは、９０〜１２０ｍｍの範囲内であり得る（たとえば、メディア・ストリーミング・デバイス７０２からＨＤＭＩコネクタ端部まで）。いくつかの例において、出力コード・セグメント７１０の長さは、９５〜１１５ｍｍの範囲内であり得る。いくつかの例において、出力コード・セグメント７１０の長さは、約１１０ｍｍであり得る。出力コード・セグメント７１０の長さに関する上記範囲と値とによって、メディア・ストリーミング・デバイス７０２が受信デバイスに比較的近くに留まる（及び／又は宙に浮き続ける）が、受信デバイス１０４によって引き起こされる無線干渉が低減されるよう受信デバイス１０４から離れた距離に位置することが確実になる。
【００５２】
出力コード・セグメント７１０は、任意の電力コード・セグメントの幅よりも広い幅を有し得る。いくつかの例において、出力コード・セグメント７１０の幅は、任意のＵＳＢコード・セグメントよりも広い。いくつかの例において、出力コード・セグメント７１０は円柱形ではなく、出力コード・セグメント７１０は、第１平面と、第１平面とは反対である第２平面とを有する。
【００５３】
図８は、実施形態に係る、メディア・ストリーミング・デバイス７０２の分解図を示す。メディア・ストリーミング・デバイス７０２は、上部エンクロージャ・アセンブリ７３４と、プリント回路基板アセンブリ７３６と、下部エンクロージャ・アセンブリ７３８とを含み得る。プリント回路基板アセンブリ７３６は、上部エンクロージャ・アセンブリ７３４と下部エンクロージャ・アセンブリ７３８との間に配置され得る。図８に示すように、出力コード・セグメント７１０は、ＨＤＭＩコネクタ７０７とＬＶＤＳコネクタ７３２とを含み得る。ＬＶＤＳコネクタ７３２は、プリント回路基板アセンブリ７３６に連結されるよう構成されている。いくつかの例において、上部エンクロージャ・アセンブリ７３４及び下部エンクロージャ・アセンブリ７３８（連結されている際）は、ＬＶＤＳコネクタ７３２を囲うよう構成されており、コード部分のみがメディア・ストリーミング・デバイス７０２の外部構造から延びている。ＬＶＤＳコネクタ７３２は出力コード・セグメント７１０のコード部分のサイズよりも大きなサイズを有し得るが、ＬＶＤＳコネクタ７３２は、上部エンクロージャ・アセンブリ７３４と下部エンクロージャ・アセンブリ７３８とによって画定されるハウジング構造全体の中に存在し得る。いくつかの例において、上部エンクロージャ・アセンブリ７３４は、締まり嵌めを用いて下部エンクロージャ・アセンブリ７３８に連結される。いくつかの例において、上部エンクロージャ・アセンブリ７３４は、超音波溶接を用いて下部エンクロージャ・アセンブリ７３８に融合される（たとえば、２つのプラスチック部品が結合するために融合される）。いくつかの例において、上部エンクロージャ・アセンブリ７３４は、１以上の締結具を用いて下部エンクロージャ・アセンブリ７３８に連結される。いくつかの例において、出力コード・セグメント７１０は、締結具（たとえば、ねじ）によって下部エンクロージャ・アセンブリ７３８とプリント回路基板アセンブリ７３６とに連結される。
【００５４】
下部エンクロージャ・アセンブリ７３８は、プリント回路基板アセンブリ７３６を受けるよう構成されているカップ状の構造を有し得る。いくつかの例において、下部エンクロージャ・アセンブリ７３８は、プリント回路基板アセンブリ７３６の大部分（又は、プリント回路基板アセンブリ７３６の全体）を囲うよう構成されている。下部エンクロージャ・アセンブリ７３８の凹部内において、下部エンクロージャ・アセンブリ７３８は熱接着剤、ヒート・スプレッダ、熱パッド又はジェル、及びシールドをさらに含み得る。プリント回路基板アセンブリ７３６は、基板（及び／又は基板の両側）に連結される複数の集積チップと該集積チップを保護するための１以上のシールドとを含み得る。上部エンクロージャ・アセンブリ７３４は、下部エンクロージャ・アセンブリ７３８に連結されるよう構成されている円盤形構造を有し得る。いくつかの例において、上部エンクロージャ・アセンブリ７３４は、第１熱ジェル、ヒート・スプレッダ、及び第２熱パッド又はジェルを含み得るか、そうでない場合は、それらに連結され得る。
【００５５】
図９Ａは、実施形態に係る、メディア・ストリーミング・デバイス７０２の上部エンクロージャ・アセンブリ７３４の外面７４０を示す。図９Ｂは、実施形態に係る、メディア・ストリーミング・デバイス７０２の上部エンクロージャ・アセンブリ７３４の内面７４２を示す。外面７４０はユーザに見える面であってもよいし、内面７４２はプリント回路基板アセンブリ７３６に面する面であってもよい。いくつかの例において、上部エンクロージャ・アセンブリ７３４は、側壁７４１を有する円柱形であり得る（たとえば、側壁７４１は円柱の深さを規定し得る）。いくつかの例において、側壁７４１は、下部エンクロージャ・アセンブリ７３８の側壁より短くてもよい。上部エンクロージャ・アセンブリ７３４は、下部エンクロージャ・アセンブリ７３８の直径と同一（又は略同一）の直径を有し得る。図９Ｂを参照して、上部エンクロージャ・アセンブリ７３４の内面７４２は、１組のヒート・ステーク・コンポーネント７４４を画定し得る。
【００５６】
図１０Ａは、実施形態に係る、メディア・ストリーミング・デバイス７０２の下部エンクロージャ・アセンブリ７３８の外面７４６を示す。図１０Ｂは、実施形態に係る、メディア・ストリーミング・デバイス７０２の下部エンクロージャ・アセンブリ７３８の内面７４８を示す。外面７４０はユーザに見える面であってもよいし、内面７４２はプリント回路基板アセンブリ７３６に面する面であってもよい。いくつかの例において、下部エンクロージャ・アセンブリ７３８は、側壁７４５を有する円柱形であり得る（たとえば、側壁７４５は円柱の深さを規定し得る）。いくつかの例において、側壁７４５は、上部エンクロージャ・アセンブリ７３４の側壁７４１より長くてもよい。下部エンクロージャ・アセンブリ７３８は、上部エンクロージャ・アセンブリ７３４の直径と同一（又は略同一）の直径を有し得る。
【００５７】
図１０Ａを参照して、下部エンクロージャ・アセンブリ７３８は、電力コード・セグメントのＵＳＢコネクタを受けるよう構成されているコネクタ・スロット７３０を画定し得る。いくつかの例において、コネクタ・スロット７３０は、電力コード・セグメントのマイクロＵＳＢコネクタを受けるよう構成されているマイクロＵＳＢコネクタ・スロットである。また、下部エンクロージャ・アセンブリ７３８は、リセット・ボタン７２９を露出させるよう構成されているリセット・スロット７３３を画定し得る。さらに、下部エンクロージャ・アセンブリ７３８は、ＬＶＤＳコネクタ・スロット７４７を画定し得る。ＬＶＤＳコネクタ・スロット７４７は、出力コード・セグメント７１０が下部エンクロージャ・アセンブリ７３８から延びる開口部であり得る。ＬＶＤＳコネクタ・スロット７４７は、ケーブル部に沿ってＨＤＭＩケーブルを捉え得る。いくつかの例において、ＬＶＤＳコネクタ７３２は、ＬＶＤＳコネクタ・スロット７４７の内側にある。ケーブルが固定されていない場合、雌型ＨＤＭＩレセプタクル（又はその変形）は、ＬＶＤＳコネクタ・スロット７４７内に配置され得る。図１０Ｂを参照して、１組のアライメント・ピン７５０が下部エンクロージャ・アセンブリ７３８の内面７４８に連結され得る。いくつかの例において、３以上のアライメント・ピン７５０が用いられ得る。プリント回路基板アセンブリ７３６は、基板上に対応する穴（たとえば、図１１Ａの穴７５４）を画定し得る。穴は、プリント回路基板アセンブリ７３６が下部エンクロージャ・アセンブリ７３８に対して正しくアラインされるように、アライメント・ピン７５０を受けるよう構成されている。また、ヒート・スプレッダ７５２が、下部エンクロージャ・アセンブリ７３８の内面７４８に連結され得る。
【００５８】
図１１Ａは、実施形態に係る下部エンクロージャ・アセンブリ７３８から分解されたプリント回路基板アセンブリ７３６を示す。図１１Ｂは、実施形態に係る下部エンクロージャ・アセンブリ７３８に組み付けられたプリント回路基板アセンブリ７３６を示す。図１１Ａ〜図１１Ｂを参照して、プリント回路基板アセンブリ７３６は、出力コード・セグメント７１０のＬＶＤＳコネクタ７３２に連結されている。出力コード・セグメント７１０の他端はＨＤＭＩコネクタ７０７を画定する。プリント回路基板アセンブリ７３６は、アライメント・ピン７５０をプリント回路基板アセンブリ７３６上の穴７５４にアラインすることによって、下部エンクロージャ・アセンブリ７３８に適切にアラインされ得る。図１１Ｂに示すように、プリント回路基板アセンブリ７３６は、ＬＶＤＳコネクタ７３２が下部エンクロージャ・アセンブリ７３８内に含まれるよう、下部エンクロージャ・アセンブリ７３８内に収まるよう構成されている。
【００５９】
図１２Ａ〜図１２Ｂは、実施形態に係るプリント回路基板アセンブリ７３６の一方側を示す。プリント回路基板アセンブリ７３６は、プリント回路基板アセンブリ７３６の集積回路（又はＩＣチップ）を保護するよう構成されている二層シールド（たとえば、内側フレーム＋カバー・シールド）を含み得る。図１２Ａは、実施形態に係る、二層シールドの一方の層（内側フレーム７６０）を表すプリント回路基板アセンブリ７３６の上側７６１を示す。図１２Ｂは、実施形態に係る、二層シールドの他方の層（カバー・シールド７６９）を表すプリント回路基板アセンブリ７３６の上側７６１を示す。上側７６１は、プリント回路基板アセンブリ７３６の一面とみなされ得る。上側７６１は、上部エンクロージャ・アセンブリ７３４に面するプリント回路基板アセンブリ７３６の面とみなされ得る。
【００６０】
図１２Ａを参照して、プリント回路基板アセンブリ７３６の上側７６１は、システム・オン・チップ（ＳＯＣ）７６４と、無線通信チップ７６６と、１以上のパワー・マネジメント集積回路（ＰＭＩＣ）７６８とを含む基板に連結される複数の集積回路を含み得る。いくつかの例において、無線通信チップ７６６は、メディア・ストリーミング・デバイス７０２のＷｉ−Ｆｉ性能にロジックを提供し得る。内側フレーム７６０は、プリント回路基板アセンブリ７３６に連結され得る。内側フレーム７６０は金属構造であって、複数の集積回路と１以上の集積回路を他の集積回路から離間させるために該金属構造内から延びる１以上の壁とを囲むよう構成され得る。たとえば、内側フレーム７６０は、ＳＯＣ７６４と無線通信チップ７６６とを離間させるよう構成されているシールド壁７６３を含み得る。
【００６１】
図１２Ｂを参照して、カバー・シールド７６９は、集積回路が内側フレーム７６０とカバー・シールド７６９とによって画定される二層シールドによってカバー及び保護されるよう、内側フレーム７６０に連結され得る。いくつかの例において、カバー・シールド７６９は、内側フレーム７６２に連結されるよう構成されている金属カバーを含み得る。内側フレーム７６０とカバー・シールド７６９とは、１以上の集積回路を囲う、及び、該１以上の集積回路を他の集積回路から離間させるよう構成されている２以上の別体である金属エンクロージャを構成し得る。
【００６２】
図１３Ａ〜図１３Ｂは、実施形態に係るプリント回路基板アセンブリ７３６の他方側を示す。たとえば、プリント回路基板アセンブリ７３６は、プリント回路基板アセンブリ７３６の下部サイド７７０の集積回路を保護するよう構成されている別の二層シールド（たとえば、内側フレーム＋カバー・シールド）を含み得る。図１３Ａは、実施形態に係る、二層シールドの一方の層（内側フレーム７６６）を表すプリント回路基板アセンブリ７３６の下部サイド７７０を示す。図１３Ｂは、実施形態に係る、二層シールドの他方の層（カバー・シールド７６８）を表すプリント回路基板アセンブリ７３６の下部サイド７７０を示す。下側７７０は、プリント回路基板アセンブリ７３６の一面とみなされ得る。下側７７０は、図１２Ａ〜図１２Ｂの上側７６１と反対であり得る。下側７７０は、下部エンクロージャ・アセンブリ７３８に面するプリント回路基板アセンブリ７３６の面とみなされ得る。
【００６３】
図１３Ａを参照して、プリント回路基板アセンブリ７３６の下側７７０は、ダイナミック・ランダム・アクセス・メモリ（ＤＲＡＭ）チップ７７２と、フラッシュ・メモリ（ＮＡＮＤ）７７４と、ＰＭＩＣ７７９とを含む基板に連結される複数の集積回路を含み得る。内側フレーム７７６は、内側フレーム７７６の外周が集積回路を囲うよう、プリント回路基板アセンブリ７３６の下側７７０に連結され得る。内側フレーム７７６は複数の集積回路を囲むよう構成される金属構造であり得る。いくつかの例において、内側フレーム７７６は、カバー・シールド７７８の支持を提供するよう構成されている壁構造であり得る。内側フレーム７７６は、メモリ・コンポーネント（たとえば、ＤＲＡＭチップ７７２、フラッシュ・メモリ７７４）を他のコンポーネント（たとえば、ＰＭＩＣ７７９）から離間させるよう構成されているシールド壁７７７を含み得る。
【００６４】
図１３Ｂを参照して、カバー・シールド７７８は、集積回路が内側フレーム７７６とカバー・シールド７７８とによって画定される二層シールドによってカバー及び保護されるよう、内側フレーム７７６に連結され得る。いくつかの例において、カバー・シールド７７８は、内側フレーム７７６に連結されるよう構成されている金属カバーを含み得る。内側フレーム７７６とカバー・シールド７７８とは、１以上の集積回路を囲う、及び、該１以上の集積回路を他の集積回路から離間させるよう構成されている２以上の別体である金属エンクロージャを構成し得る。
【００６５】
図１４Ａは、実施形態に係る、出力コード・セグメント７１０の一端にＨＤＭＩコネクタ７０７を有し、出力コード・セグメント７１０の他端にＬＶＤＳコネクタ７３２を有する出力コード・セグメント７１０を示す。ＬＶＤＳコネクタ７３２は、ＬＶＤＳコネクタ・スロット７４７を画定する下部エンクロージャ・アセンブリ７３８と係合するよう構成されているリップ７８５を画定し得る。リップが下部エンクロージャ・アセンブリ７３８に係合することによって、ＬＶＤＳコネクタ７３２が確実にＬＶＤＳコネクタ７３２から取り外されないようになる。図１４Ｂは、実施形態に係るＬＶＤＳコネクタ７３２の分解図を示す。図１４Ｂを参照して、ＬＤＶＳコネクタ７３２は、シールド・トップ・シェル７８０と、ＬＶＤＳプラグ７８２と、基板７８６に連結されるＬＶＤＳレセプタクル７８４と、シールド・シェル・ボトム７８８とを含み得る。
【００６６】
図１５Ａは、実施形態に係る、折り畳んだ形態におけるメディア・ストリーミング・デバイス８０２の斜視図を示す。図１５Ｂは、実施形態に係る開いた形態におけるメディア・ストリーミング・デバイス８０２の斜視図を示す。図１５Ｃは、実施形態に係る折り畳んだ形態におけるメディア・ストリーミング・デバイス８０２の別の斜視図を示す。図１５Ｄは、実施形態に係る開いた形態におけるメディア・ストリーミング・デバイス８０２の別の斜視図を示す。
【００６７】
図１５Ａ〜図１５Ｄを参照して、メディア・ストリーミング・デバイス８０２は、メディア・ストリーミング・デバイス８０２に連結される出力コード・セグメント８１０を含む。メディア・ストリーミング・デバイス８０２において、出力コード・セグメント８１０はＨＤＭＩケーブル端部８１１を含む。メディア・ストリーミング・デバイス８０２は、下部エンクロージャ・アセンブリ８３８と上部エンクロージャ・アセンブリ８３４とを含む。図１５Ａ及び図１５Ｃを参照して、折り畳み構成において、出力コード・セグメント８１０のＨＤＭＩケーブル端部８１１はメディア・ストリーミング・デバイス８０２の下部エンクロージャ・アセンブリ８３８に連結されている。いくつかの例において、折り畳み構成は、ＨＤＭＩケーブル端部８１１内に配置されたマグネットと下部エンクロージャ・アセンブリ８３８内の内側金属ヒート・スプレッダとの間における磁力によって得られる。図１５Ｂ及び図１５Ｄを参照して、ＨＤＭＩケーブル端部８１１は、出力コード・セグメント８１０の下部エンクロージャ・アセンブリ８３８に連結されていない。いくつかの例において、出力コード・セグメント８１０は、非折り畳み構成に偏る。いくつかの例において、非折り畳み構成は直線的構成である。
【００６８】
図１６は、実施形態に係る、メディア・ストリーミング・デバイス８０２の斜視図を示す。図１６を参照して、メディア・ストリーミング・デバイス８０２は、上部エンクロージャ・アセンブリ８３４と、下部エンクロージャ・アセンブリ８３８と、上部エンクロージャ・アセンブリ８３４及び下部エンクロージャ・アセンブリ８３８によって囲まれるプリント回路基板アセンブリ８３６とを含む。出力コード・セグメント８１０のＨＤＭＩケーブル端部８１１は、マグネット８５２を含み得る。たとえば、マグネット８５２は、ＨＤＭＩケーブル端部８１１の構造内に配置され得る。上部エンクロージャ・アセンブリ８３４は、ねじ山形成締結具８５０を介して下部エンクロージャ・アセンブリ８３８に連結され得る。
【００６９】
図１７は、他の実施形態に係る、プリント回路基板アセンブリ８３６の部分分解図を示す。第１シールド・カン８６９−１はプリント回路基板アセンブリ８３６の基板８３５の一面に連結され得る。第２シールド・カン８６９−２はプリント回路基板アセンブリ８３６の基板８３５の他面に連結され得る。基板８３５は、実装された集積回路を有することが可能である任意のタイプであり得る。いくつかの例において、基板８３５は略円形である。第１シールド・カン８６９−１と第２シールド・カン８６９−２とは、プリント回路基板アセンブリ８３６の両側にある回路コンポーネントを保護し得る。さらに、１以上の熱ジェル８５４が、第１シールド・カン８６９−１及び第２シールド・カン８６９−２に連結され得る。
【００７０】
図１８Ａは、実施形態に係る、下部エンクロージャ・アセンブリ８３８の外観図を示す。図１８Ｂは、別の実施形態に係る、下部エンクロージャ・アセンブリ８３８の内観図を示す。図１８Ａ及び図１８Ｂを参照して、下部エンクロージャ・アセンブリ８３８は、下部エンクロージャ・アセンブリ８３８の内面８５１に連結される金属（たとえば、鋼）ヒート・スプレッダ８５５を含み得る。ヒート・スプレッダ８５５は、図１５Ａ及び図１５Ｃに示される折り畳み構成時のＨＤＭＩケーブル端部８１１上のマグネット８５２と相互に作用し得る。また、下部エンクロージャ・アセンブリ８３８は、ヒート・スプレッダ８５５に連結される熱ジェル８５４を含み得る。さらに、リセット・ボタン８２９は、ユーザがメディア・ストリーミング・デバイス８０２をリセットすることができるように、下部エンクロージャ・アセンブリ８３８に連結され得る。たとえば、リセット・ボタン８２９は、下部エンクロージャ・アセンブリ８３８の側壁８５２の開口部を通して突出してもよいし、メディア・ストリーミング・デバイス８０２のコンポーネントが組み付けられる際に操作可能にプリント回路基板アセンブリ８３６に連結されてもよい。さらに、ライト・パイプ８５６が、ユーザがメディア・ストリーミング・デバイス８０２から伝送される光を見られるようにするために、下部エンクロージャ・アセンブリ８３８に連結され得る。たとえば、ライト・パイプ８５６を介して光を点灯させることによって、メディア・ストリーミング・デバイス８０２の操作状況が示され得る。ライト・パイプ８５６は、下部エンクロージャ・アセンブリ８３８の側壁８５２の開口部を通して突出してもよいし、メディア・ストリーミング・デバイス８０２のコンポーネントが組み付けられる際に操作可能にプリント回路基板アセンブリ８３６に連結されてもよい。
【００７１】
図１９Ａは、実施形態に係る、プリント回路基板アセンブリ８３６の上面図を示す。図１９Ｂは、実施形態に係る、シールド・カン８６９がない状態のプリント回路基板アセンブリ８３６に連結されている出力コード・セグメント８１０を示す。図１９Ｃは、実施形態に係る、シールド・カン８６９を備えたプリント回路基板アセンブリ８３６に連結されている出力コード・セグメント８１０を示す。プリント回路基板アセンブリ８３６は、出力コード・セグメント８１０のＬＶＤＳコネクタに連結されるよう構成されているＬＶＤＳボード・コネクタ８３３を含み得る。また、プリント回路基板アセンブリ８３６は、内側フレーム８６０を含み得る。内側フレーム８６０は金属構造であって、複数の集積回路と１以上の集積回路を他の集積回路から離間させるために該金属構造内から延びる１以上の壁とを囲むよう構成され得る。いくつかの例において、プリント回路基板アセンブリ８３６は、ＮＡＮＤフラッシュ８７４とシステム・オン・チップ（ＳＯＣ）８６４とを含み得る。さらに、プリント回路基板アセンブリ８３６は、電力コード・セグメント上のマイクロＵＳＢコネクタに連結されるよう構成されているマイクロＵＳＢコネクタ８７５を含み得る。図１９Ｃを参照して、シールド・カン８６９は、他の回路コンポーネントだけでなくＮＡＮＤフラッシュ８７４とＳＯＣ８６４とを保護するために、内側フレーム８６０に配置されてもよいし、内側フレーム８６０を囲んでもよい。
【００７２】
図２０Ａは、実施形態に係る、シールド・カン８６９がない状態のプリント回路基板アセンブリ８３６の底面図を示す。図２０Ｂは、実施形態に係る、シールド・カン８６９を備えたプリント回路基板アセンブリ８３６の底面図を示す。プリント回路基板アセンブリ８３６は、ＤＤＲメモリ８７７とＷｉＦｉチップ８７８とを含み得る。プリント回路基板アセンブリ８３６は、ＤＤＲメモリ８７７とＷｉＦｉチップ８７８とを包囲及び離間させるよう構成されている内側フレーム８６０を含み得る。シールド・カン８６９は、プリント回路基板アセンブリ８３６の他方側において、他の回路コンポーネントだけでなくＤＤＲメモリ８７７とＷｉＦｉチップ８７８とを保護するために、内側フレーム８６０に配置されてもよいし、内側フレーム８６０を囲んでもよい。
【００７３】
図２１は、実施形態に係る、音声コンテンツをストリーミング配信するよう構成されている音声ストリーミング・デバイス９０２を示す。いくつかの例において、音声ストリーミング・デバイス９０２は、音声コンテンツをストリーミング配信するが、映像コンテンツはストリーミング配信しない。音声ストリーミング・デバイス９０２は、ネットワーク化された音声コンテンツを多種多様な既存のホーム・スピーカ・システム（たとえば、１以上の受信デバイス１０４）に対してシームレスにストリーミング配信する。いくつかの例において、音声ストリーミング・デバイス９０２は、交流又は直流電力を受信する可能性があり、共通のプラグ・フォーマット又はフォーマットの組を用いて音声出力を提供する可能性があり、メディア・データを制御及びストリーミング配信するための無線ネットワーク接続を支持する。ユーザは、制御プロトコルを使用可能である１以上の他のコンピューティング・デバイスを通じて音声ストリーミング・デバイス９０２上でのメディア再生を制御できる可能性がある。さらに、音声ストリーミング・デバイス９０２は、デバイスをリセットする、又は、セットアップ・モードを起動するための最小ユーザ・インターフェースを提供し得るが、制御及び対話の大半は、音声ストリーミング・デバイス９０２と無線で通信する他のデバイスによって駆動され得る。
【００７４】
音声ストリーミング・デバイス９０２は、音声ストリーミング・デバイス９０２をメディア・コンテンツ・ソース１０６に無線で接続するよう構成されている任意のタイプの汎用コンピューティング回路又は専用論理回路などの中央処理装置（ＣＰＵ）３２０を支持及び包囲するよう構成されているハウジング９０３を有し得る。いくつかの例において、ハウジング９０３は、円柱又はパック形の設計を含む。いくつかの例において、ハウジング９０３は、前述の図面を参照して説明される任意の構成であり得る。ハウジング９０３は、電力コード・セグメントのマイクロＵＳＢコネクタを受けるよう構成されているマイクロＵＳＢコネクタ・スロット９０６を画定し得る。また、音声ストリーミング・デバイス９０２は、音声出力コード・セグメント９１０を受けるよう構成されている音声ジャック９０５を含み得る。音声ジャック９０５は、光及びアナログ音声ジャックであり得る。音声出力コード・セグメント９１０は、デジタル・タイプ・コードであり得る。いくつかの例において、音声出力コード・セグメント９１０は、アナログ・タイプ・コードであり得る。
【００７５】
音声ストリーミング・デバイス９０２は、音声出力コード・セグメント９１０に着脱自在に連結され得る。他の例において、音声出力コード・セグメント９１０は、音声ストリーミング・デバイス９０２に固定的に連結され得る。音声出力コード・セグメント９１０は、音声ストリーミング・デバイス９０２上の音声ジャック９０５に挿入及び連結されるよう構成されている第１コネクタ９０７と、受信デバイス（たとえば、図１の受信デバイス１０４）に連結されるよう構成されている第２コネクタ９１４とを含み得る。いくつかの例において、音声ストリーミング・デバイス９０２は、図３のメディア・ストリーミング・デバイス３０２からの特徴（たとえば、ＣＰＵ３２０、メモリ３２６、ネットワーク・インターフェース１２８、及び音声出力回路３３０）を含む。
【００７６】
図２２は、実施形態に係る、音声ストリーミング・デバイス９０２の分解図を示す。音声ストリーミング・デバイス９０２は、上部エンクロージャ・アセンブリ９３４と、プリント回路基板アセンブリ９３６と、下部エンクロージャ・アセンブリ９３８とを含み得る。上部エンクロージャ・アセンブリ９３４は、プリント回路基板アセンブリ９３６が上部エンクロージャ・アセンブリ９３４及び下部エンクロージャ・アセンブリ９３８内に配置されるよう、ねじ山形成締結具８５０を介して下部エンクロージャ・アセンブリ９３８に連結され得る。
【００７７】
図２３Ａは、実施形態に係る、プリント回路基板アセンブリ９３６の上面図を示す。図２３Ｂは、実施形態に係る、プリント回路基板アセンブリ９３６の底面図を示す。第１シールド・カン９６９−１はプリント回路基板アセンブリ９３６の一面に連結され得る。第２シールド・カン９６９−２はプリント回路基板アセンブリ９３６の他面に連結され得る。第１シールド・カン９６９−１と第２シールド・カン９６９−２とは、プリント回路基板アセンブリ９３６の両側にある回路コンポーネントを保護し得る。さらに、１以上の熱ジェル９５４が、第１シールド・カン８６９−１と第２シールド・カン８６９−２とに連結され得る。
【００７８】
図２４Ａは、実施形態に係る、下部エンクロージャ・アセンブリ９３８の外観図を示す。図２４Ｂは、別の実施形態に係る、下部エンクロージャ・アセンブリ９３８の内部を示す斜視図を示す。図２４Ａ及び図２４Ｂを参照して、下部エンクロージャ・アセンブリ９３８は、下部エンクロージャ・アセンブリ９３８の内面に連結される金属（たとえば、鋼）ヒート・スプレッダ９５５を含み得る。また、下部エンクロージャ・アセンブリ９３８は、ヒート・スプレッダ９５５に連結される熱ジェル９５４を含み得る。さらに、リセット・ボタン９２９は、ユーザが音声ストリーミング・デバイス９０２をリセットすることができるように、下部エンクロージャ・アセンブリ９３８に連結され得る。たとえば、リセット・ボタン９２９は、下部エンクロージャ・アセンブリ９３８の側壁の開口部を通して突出してもよいし、音声ストリーミング・デバイス９０２のコンポーネントが組み付けられる際に操作可能にプリント回路基板アセンブリ９３６に連結されてもよい。さらに、ライト・パイプ９５６が、ユーザが音声ストリーミング・デバイス９０２から伝送される光を見られるようにするために、下部エンクロージャ・アセンブリ９３８に連結され得る。たとえば、ライト・パイプ９５６を介して光を点灯させることによって、音声ストリーミング・デバイス９０２の操作状況が示され得る。ライト・パイプ９５６は、下部エンクロージャ・アセンブリ９３８の側壁の開口部を通して突出してもよいし、音声ストリーミング・デバイス９０２のコンポーネントが組み付けられる際に操作可能にプリント回路基板アセンブリ９３６に連結されてもよい。
【００７９】
図２５Ａは、実施形態に係る、シールド・カン９６９がない状態のプリント回路基板アセンブリ９３６の上面図を示す。図２５Ｂは、実施形態に係る、シールド・カン９６９を備えたプリント回路基板アセンブリ９３６の上面図を示す。プリント回路基板アセンブリ９３６は、内側フレーム９６０を含み得る。内側フレーム９６０は金属構造であって、複数の集積回路と１以上の集積回路を他の集積回路から離間させるために該金属構造内から延びる１以上の壁とを囲むよう構成され得る。いくつかの例において、プリント回路基板アセンブリ９３６は、ＮＡＮＤフラッシュ９７４と、プリント回路基板アセンブリ９３６の基板に連結されるシステム・オン・チップ（ＳＯＣ）９６４とを含み得る。さらに、プリント回路基板アセンブリ８３６は、電力コード・セグメント上のマイクロＵＳＢコネクタに連結されるよう構成されているマイクロＵＳＢコネクタ９７５を含み得る。シールド・カン９６９は、プリント回路基板アセンブリ９３６の一方側において、他の回路コンポーネントだけでなくＮＡＮＤフラッシュ９７４とＳＯＣ９６４とを保護するために、内側フレーム９６０に配置されてもよいし、内側フレーム９６０を囲んでもよい。
【００８０】
図２６Ａは、実施形態に係る、シールド・カン９６９が取り外されたプリント回路基板アセンブリ９３６の底面図を示す。図２６Ｂは、実施形態に係る、シールド・カン９６９が取り付けられたプリント回路基板アセンブリ９３６の底面図を示す。プリント回路基板アセンブリ９３６は、プリント回路基板アセンブリ９３６の基板上に配置されたＤＤＲメモリ９７７とＷｉＦｉチップ９７８とを含み得る。プリント回路基板アセンブリ９３６は、ＤＤＲメモリ９７７とＷｉＦｉチップ９７８とを包囲及び離間させるよう構成されている内側フレーム９６０を含み得る。シールド・カン９６９は、プリント回路基板アセンブリ９３６の他方側において、他の回路コンポーネントだけでなくＤＤＲメモリ９７７とＷｉＦｉチップ９７８とを保護するために、内側フレーム９６０に配置されてもよいし、内側フレーム９６０を囲んでもよい。
【００８１】
プリント回路基板アセンブリ９３６は、プリント回路基板アセンブリ９３６の一端において基板の底面に連結される音声ジャック９０５と、プリント回路基板アセンブリ９３６の他端において基板の底面に連結されるマイクロＵＳＢコネクタ９７５とを含み得る。プリント回路基板アセンブリ９３６は、音声出力回路９３０を含み得る。いくつかの例において、音声出力回路９３０は、内側フレーム９６０の外側及びシールド・カン９６９の外側において、基板上に露出され得る。いくつかの例において、音声出力回路９３０は、図３を参照して説明された音声出力回路３３０であり得る。
【００８２】
音声出力回路９３０は、どのタイプの音声出力コード・セグメント９１０が音声ストリーミング・デバイス９０２に連結されるかを検出するよう構成され得る。いくつかの例において、音声出力回路９３０は、接続された音声出力コード・セグメント９１０がデジタル・タイプ・コードであるかアナログ・タイプ・コードであるかを検出するよう構成され得る。検出されるコードのタイプによって、音声出力回路９３０は、検出されるコードのタイプに対応する適切なフォーマットを有するよう音声コンテンツを初期化するよう構成されている。たとえば、音声出力回路９３０は、音声出力コード・セグメント９１０がデジタル・タイプ・コードであることを検出すると、音声出力回路９３０は音声コンテンツをデジタル・フォーマットに初期化する。音声出力回路９３０は、音声出力コード・セグメント９１０がアナログ・タイプ・コードであることを検出すると、音声コンテンツをアナログ・フォーマットに初期化する。
【００８３】
記載された実施形態のいくつかの特徴は、本明細書に記載されているように例示されているが、当業者には多くの修正、置換、変更及び等価物が生じるであろう。したがって、添付の特許請求の範囲は、実施形態の範囲内に入るそのような修正及び変更のすべてをカバーすることが意図されていることを理解されたい。それらは限定ではなく単なる例として提示されたものであり、形態及び細部の様々な変更がなされ得ることを理解されたい。相互排他的なコンビネーションを除いて、本明細書に記載の装置及び／又は方法の任意の部分は、任意のコンビネーションで組み合わせてもよい。本明細書で説明される実施形態は、説明された異なる実施形態の機能、構成要素及び／又は特徴の様々なコンビネーション及び／又はサブ・コンビネーションを含むことができる。
【図１】
2019075829.tif 000003
【図２】
2019075829.tif 000004
【図３】
2019075829.tif 000005
【図４】
2019075829.tif 000006
【図５】
2019075829.tif 000007
【図６】
2019075829.tif 000008
【図７】
2019075829.tif 000009
【図８】
2019075829.tif 000010
【図９Ａ】
2019075829.tif 000011
【図９Ｂ】
2019075829.tif 000012
【図１０Ａ】
2019075829.tif 000013
【図１０Ｂ】
2019075829.tif 000014
【図１１Ａ】
2019075829.tif 000015
【図１１Ｂ】
2019075829.tif 000016
【図１２Ａ】
2019075829.tif 000017
【図１２Ｂ】
2019075829.tif 000018
【図１３Ａ】
2019075829.tif 000019
【図１３Ｂ】
2019075829.tif 000020
【図１４Ａ】
2019075829.tif 000021
【図１４Ｂ】
2019075829.tif 000022
【図１５Ａ】
2019075829.tif 000023
【図１５Ｂ】
2019075829.tif 000024
【図１５Ｃ】
2019075829.tif 000025
【図１５Ｄ】
2019075829.tif 000026
【図１６】
2019075829.tif 000027
【図１７】
2019075829.tif 000028
【図１８Ａ】
2019075829.tif 000029
【図１８Ｂ】
2019075829.tif 000030
【図１９Ａ】
2019075829.tif 000031
【図１９Ｂ】
2019075829.tif 000032
【図１９Ｃ】
2019075829.tif 000033
【図２０Ａ】
2019075829.tif 000034
【図２０Ｂ】
2019075829.tif 000035
【図２１】
2019075829.tif 000036
【図２２】
2019075829.tif 000037
【図２３Ａ】
2019075829.tif 000038
【図２３Ｂ】
2019075829.tif 000039
【図２４Ａ】
2019075829.tif 000040
【図２４Ｂ】
2019075829.tif 000041
【図２５Ａ】
2019075829.tif 000042
【図２５Ｂ】
2019075829.tif 000043
【図２６Ａ】
2019075829.tif 000044
【図２６Ｂ】
2019075829.tif 000045